(57)【要約】【課題】マクロセルの基地局にとっての負荷の増大を抑制することを可能にする。【解決手段】端末装置であって、マクロセルと一部又は全体で重なるスモールセル及び上記マクロセルについての情報を取得する取得部と、上記端末装置がいずれの基地局とも接続されていない場合には、上記スモールセルの基地局との接続のためのアクセス手続きを行う通信制御部と、を備える端末装置が提供される。【選択図】図４
2014203630.tif 000002
【特許請求の範囲】
【請求項１】
端末装置であって、
マクロセルと一部又は全体で重なるスモールセル及び前記マクロセルについての情報を取得する取得部と、
前記端末装置がいずれの基地局とも接続されていない場合には、前記スモールセルの基地局との接続のためのアクセス手続きを行う通信制御部と、
を備える端末装置。
【請求項２】
前記通信制御部は、前記端末装置が前記スモールセルの前記基地局と接続された後に、前記端末装置の状況に応じた情報を前記スモールセルの前記基地局に提供する、請求項１に記載の端末装置。
【請求項３】
前記端末装置は、マシンタイプ通信を行う装置である、請求項１に記載の端末装置。
【請求項４】
端末装置であって、
前記端末装置の状況に応じた情報を取得する取得部と、
前記端末装置がいずれの基地局とも接続されていない場合に、基地局との接続のためのアクセス手続きにおいて、前記情報を含むメッセージを前記基地局に提供する通信制御部と、
を備える端末装置。
【請求項５】
前記メッセージに含まれる前記情報は、前記基地局との接続を許可するかを判定するために使用される情報である、請求項４に記載の端末装置。
【請求項６】
前記メッセージは、前記アクセス手続きにおける、通信プロトコルのレイヤ２又はレイヤ３のメッセージである、請求項４に記載の端末装置。
【請求項７】
前記基地局は、スモールセルの一部又は全体と重なるマクロセルの基地局である、請求項４に記載の端末装置。
【請求項８】
前記端末装置の状況に応じた前記情報は、前記端末装置の移動状況の情報を含む、請求項２に記載の端末装置。
【請求項９】
前記端末装置の状況に応じた前記情報は、無線通信に関する前記端末装置の要求の情報を含む、請求項２に記載の端末装置。
【請求項１０】
前記要求の前記情報は、前記端末装置が無線通信のために使用する周波数帯域の数の情報、又は、前記端末装置の無線通信におけるスループットの情報を含む、請求項９に記載の端末装置。
【請求項１１】
前記端末装置は、マシンタイプ通信を行う装置であり、
前記通信制御部は、基地局との接続のためのアクセス手続きにおいて、前記端末装置がマシンタイプ通信を行う装置であることを示す装置情報を含むメッセージを前記基地局に提供する、
請求項１に記載の端末装置。
【請求項１２】
前記装置情報を含む前記メッセージを提供される前記基地局は、スモールセルの一部又は全体と重なるマクロセルの基地局である、請求項１１に記載の端末装置。
【請求項１３】
前記装置情報を含む前記メッセージを提供される前記基地局が、スモールセルの一部又は全体と重なるマクロセルの基地局である場合に、前記基地局との接続が許可されない、請求項１１に記載の端末装置。
【請求項１４】
端末装置の接続のためのアクセス手続きにおいて、前記端末装置の状況に応じた情報を含むメッセージが前記端末装置により提供されると、前記情報を取得する取得部と、
前記情報に基づいて、前記端末装置の接続を許可するかを判定する通信制御部と、
を備える通信制御装置。
【請求項１５】
前記通信制御部は、前記端末装置の接続のためのアクセス手続きにおいて、前記端末装置がマシンタイプ通信を行う装置であることを示す装置情報を含むメッセージが前記端末装置により提供されると、前記端末装置の前記接続を許可しないと判定する、請求項１４に記載の通信制御装置。
【請求項１６】
端末装置の接続のためのアクセス手続きにおいて、前記端末装置の状況に応じた情報を含むメッセージが前記端末装置により提供されると、前記情報を取得することと、
前記情報に基づいて、前記端末装置の接続を許可するかを判定することと、
を含む通信制御方法。
【請求項１７】
複数の周波数帯域の各々における輻輳状況についての輻輳情報を取得する取得部と、
前記輻輳情報に基づいて、前記複数の周波数帯域間での端末装置による測定の優先度を制御する通信制御部と、
を備える通信制御装置。
【請求項１８】
前記通信制御部は、前記輻輳情報に基づいて前記優先度を決定し、前記端末装置により使用される周波数帯域でのシグナリングにより当該優先度の情報を前記端末装置に通知する、請求項１７に記載の通信制御装置。
【請求項１９】
複数の周波数帯域の各々における輻輳状況についての輻輳情報を取得することと、
前記輻輳情報に基づいて、前記複数の周波数帯域間での端末装置による測定の優先度を制御することと、
を備える通信制御方法。
【請求項２０】
複数の周波数帯域間での端末装置による測定の優先度であって、前記複数の周波数帯域の各々における輻輳状況に基づいて決定される前記優先度の情報を取得する取得部と、
前記優先度に従って、前記複数の周波数帯域における測定の実行を制御する通信制御部と、
を備える端末装置。
【発明の詳細な説明】
【技術分野】
【０００１】
本開示は、端末装置、通信制御装置及び通信制御方法に関する。
【背景技術】
【０００２】
現在、スマートフォンの普及により、セルラーシステムのデータトラフィックの増大が懸念されている。そのため、各セルラー事業者にとって、セルラーシステムの通信容量を増加させることが増々重要になっている。【０００３】
通信容量の増加のために、例えば、事業者は、ピコセル、フェムトセル等のスモールセルをマクロセル内に配置する。これにより、事業者は、さらなる通信容量を得ることができる。このようなスモールセルの利用のために様々な検討が行われている。【０００４】
例えば、非特許文献１には、スモールセルの様々な配置シナリオが開示されるとともに、マクロセルとスモールセルとで別々の周波数帯域が使用されることが開示されている。
【先行技術文献】
【特許文献】
【０００５】
【非特許文献１】3GPP  TR  36.932  V1.0.0  (2012-12)  "3rd  Generation  Partnership  Project;  Technical  Specification  Group  Radio  Access  Network;  Scenarios  and  Requirements  for  Small  Cell  Enhancements  for  E-UTRA  and  E-UTRAN  (Release  12)"
【発明の概要】
【発明が解決しようとする課題】
【０００６】
一方、例えば、ＬＴＥ（Long  Term  Evolution）及びＬＴＥ−Ａｄｖａｎｃｅｄでは、ＵＥ（User  Equipment）がＲＲＣ（Radio  Resource  Control）アイドル状態である場合（例えば、ＵＥの電源投入後）に、ＵＥは、ＲＲＣアイドル状態からＲＲＣ接続状態への遷移のために、ランダムアクセス手続きを行う。そして、どのコンポーネントキャリア（Component  Carrier：ＣＣ）でランダムアクセス手続きを行うかは、ＵＥにより決定される。即ち、どのｅＮＢと接続するかは、ＵＥにより決定される。【０００７】
しかし、マクロセル及びピコセルが存在する場合に、多数のＵＥがマクロセルのＣＣでランダムアクセス手続きを行うと、マクロセルのＣＣにおいて、接続確立のためのシグナリングが増大し得る。その結果、無線リソース及び処理の観点からマクロｅＮＢに多大な負荷がかかってしまうことが懸念される。【０００８】
そこで、例えば、マクロセルの基地局にとっての負荷の増大を抑制することを可能にする仕組みが提供されることが望ましい。
【課題を解決するための手段】
【０００９】
本開示によれば、端末装置であって、マクロセルと一部又は全体で重なるスモールセル及び上記マクロセルについての情報を取得する取得部と、上記端末装置がいずれの基地局とも接続されていない場合には、上記スモールセルの基地局との接続のためのアクセス手続きを行う通信制御部と、を備える端末装置が提供される。【００１０】
また、本開示によれば、端末装置を制御する情報処理装置であって、所定のプログラムを記憶するメモリと、上記所定のプログラムを実行可能な１つ以上のプロセッサと、
を備える情報処理装置が提供される。上記所定のプログラムは、マクロセルと一部又は全体で重なるスモールセル及び上記マクロセルについての情報を取得することと、上記端末装置がいずれの基地局とも接続されていない場合には、上記スモールセルの基地局との接続のためのアクセス手続きを行うことと、を実行させるためのプログラムである。【００１１】
また、本開示によれば、端末装置であって、上記端末装置の状況に応じた情報を取得する取得部と、上記端末装置がいずれの基地局とも接続されていない場合に、基地局との接続のためのアクセス手続きにおいて、上記情報を含むメッセージを上記基地局に提供する通信制御部と、を備える端末装置が提供される。【００１２】
また、本開示によれば、端末装置を制御する情報処理装置であって、所定のプログラムを記憶するメモリと、上記所定のプログラムを実行可能な１つ以上のプロセッサと、を備える情報処理装置が提供される。上記所定のプログラムは、上記端末装置の状況に応じた情報を取得することと、上記端末装置がいずれの基地局とも接続されていない場合に、基地局との接続のためのアクセス手続きにおいて、上記情報を含むメッセージを上記基地局に提供すること、を実行させるためのプログラムである。【００１３】
また、本開示によれば、端末装置の接続のためのアクセス手続きにおいて、上記端末装置の状況に応じた情報を含むメッセージが上記端末装置により提供されると、上記情報を取得する取得部と、上記情報に基づいて、上記端末装置の接続を許可するかを判定する通信制御部と、を備える通信制御装置が提供される。【００１４】
また、本開示によれば、端末装置の接続のためのアクセス手続きにおいて、上記端末装置の状況に応じた情報を含むメッセージが上記端末装置により提供されると、上記情報を取得することと、上記情報に基づいて、上記端末装置の接続を許可するかを判定することと、を含む通信制御方法が提供される。【００１５】
また、本開示によれば、複数の周波数帯域の各々における輻輳状況についての輻輳情報を取得する取得部と、上記輻輳情報に基づいて、上記複数の周波数帯域間での端末装置による測定の優先度を制御する通信制御部と、を備える通信制御装置が提供される。【００１６】
また、本開示によれば、複数の周波数帯域の各々における輻輳状況についての輻輳情報を取得することと、上記輻輳情報に基づいて、上記複数の周波数帯域間での端末装置による測定の優先度を制御することと、を備える通信制御方法が提供される。【００１７】
また、本開示によれば、複数の周波数帯域間での端末装置による測定の優先度であって、上記複数の周波数帯域の各々における輻輳状況に基づいて決定される上記優先度の情報を取得する取得部と、上記優先度に従って、上記複数の周波数帯域における測定の実行を制御する通信制御部と、を備える端末装置が提供される。【００１８】
また、本開示によれば、端末装置を制御する情報処理装置であって、所定のプログラムを記憶するメモリと、上記所定のプログラムを実行可能な１つ以上のプロセッサと、を備える情報処理装置が提供される。上記所定のプログラムは、複数の周波数帯域間での端末装置による測定の優先度であって、上記複数の周波数帯域の各々における輻輳状況に基づいて決定される上記優先度の情報を取得することと、上記優先度に従って、上記複数の周波数帯域における測定の実行を制御することと、を実行させるためのプログラムである。
【発明の効果】
【００１９】
以上説明したように本開示によれば、マクロセルの基地局にとっての負荷の増大を抑制することが可能となる。
【図面の簡単な説明】
【００２０】
【図１】スモールセルについての第１のシナリオを説明するための説明図である。
【図２】スモールセルについての第２のシナリオを説明するための説明図である。
【図３】本開示の実施形態に係る通信システムの概略的な構成の一例を示す説明図である。
【図４】第１の実施形態に係るＵＥの構成の一例を示すブロック図である。
【図５】第１の実施形態に係るピコｅＮＢの構成の一例を示すブロック図である。
【図６】第１の実施形態に係る第１の通信制御処理（ランダムアクセス手続きに係るＵＥ側の処理）の概略的な流れの一例を示すフローチャートである。
【図７】第１の実施形態に係る第２の通信制御処理（情報提供及びハンドオーバに係るＵＥ側の処理）の概略的な流れの一例を示すフローチャートである。
【図８】第１の実施形態に係る第３の通信制御処理（ハンドオーバに係るピコｅＮＢ側の処理）の概略的な流れの一例を示すフローチャートである。
【図９】第２の実施形態に係るＵＥの構成の一例を示すブロック図である。
【図１０】第２の実施形態に係るマクロｅＮＢの構成の一例を示すブロック図である。
【図１１】第２の実施形態に係るランダムアクセス手続きの概略的な流れの一例を示すシーケンス図である。
【図１２】第２の実施形態に係る第１の通信制御処理（メッセージの提供に係るＵＥ側の処理）の概略的な流れの一例を示すフローチャートである。
【図１３】第２の実施形態に係る第２の通信制御処理（ＵＥの接続の許可に係るマクロｅＮＢ側の処理）の概略的な流れの一例を示すフローチャートである。
【図１４】第３の実施形態に係るＵＥの構成の一例を示すブロック図である。
【図１５】第３の実施形態に係るマクロｅＮＢの構成の一例を示すブロック図である。
【図１６】第３の実施形態に係るランダムアクセス手続きの概略的な流れの一例を示すシーケンス図である。
【図１７】第３の実施形態に係る第１の通信制御処理（メッセージの提供に係るＵＥ側の処理）の概略的な流れの一例を示すフローチャートである。
【図１８】第３の実施形態に係る第２の通信制御処理（ＵＥの接続の許可に係るマクロｅＮＢ側の処理）の概略的な流れの一例を示すフローチャートである。
【図１９】第４の実施形態に係るマクロｅＮＢの構成の一例を示すブロック図である。
【図２０】第４の実施形態に係るＵＥの構成の一例を示すブロック図である。
【図２１】第４の実施形態に係る第１の通信制御処理（測定の優先度の制御に係るマクロｅＮＢ側の処理）の概略的な流れの一例を示すフローチャートである。
【図２２】第４の実施形態に係る第２の通信制御処理（測定の制御に係るＵＥ側の処理）の概略的な流れの一例を示すフローチャートである。
【図２３】ｅＮＢの概略的な構成の第１の例を示すブロック図である。
【図２４】ｅＮＢの概略的な構成の第２の例を示すブロック図である。
【図２５】スマートフォンの概略的な構成の一例を示すブロック図である。
【図２６】カーナビゲーション装置の概略的な構成の一例を示すブロック図である。
【発明を実施するための形態】
【００２１】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
１．はじめに
２．通信システムの構成
３．第１の実施形態
３．１．概略
３．２．ＵＥの構成
３．３．ピコｅＮＢの構成
３．４．処理の流れ
４．第２の実施形態
４．１．概略
４．２．ＵＥの構成
４．３．マクロＮＢの構成
４．４．処理の流れ
５．第３の実施形態
５．１．概略
５．２．ＵＥの構成
５．３．マクロＮＢの構成
５．４．処理の流れ
６．第４の実施形態
６．１．概略
６．２．マクロＮＢの構成
６．３．ＵＥの構成
６．４．処理の流れ
７．応用例
７．１．ｅＮＢに関する応用例
７．２．ＵＥに関する応用例
８．まとめ
【００２３】
＜＜１．はじめに＞＞
まず、図１及び図２を参照して、キャリアアグリゲーション、測定、及びスモールセルを説明する。
【００２４】
（リリース１０のキャリアアグリゲーション）
−コンポーネントキャリア
リリース１０のキャリアアグリゲーションでは、最大で５つのコンポーネントキャリア（ＣＣ：Component  Carrier）が束ねられて、ＵＥ（User  Equipment）により使用される。各コンポーネントキャリアは、最大２０ＭＨｚ幅の帯域である。キャリアアグリゲーションでは、周波数方向で連続するＣＣが使用される場合と、周波数方向で離れたＣＣが使用される場合とがある。周波数軸上で離れたＣＣが使用される場合に、使用されるＣＣ間で伝搬路の状態が大きく異なり得る。キャリアアグリゲーションでは、使用されるＣＣをＵＥ毎に設定することが可能である。
【００２５】
−プリマリＣＣとセカンダリＣＣ
キャリアアグリゲーションでは、ＵＥにより使用される複数のＣＣのうちの１つが特別なＣＣである。当該１つの特別なＣＣは、プライマリ（Primary）ＣＣ（ＰＣＣ）と呼ばれる。また、上記複数のＣＣのうちの残りは、セカンダリ（Secondary）ＣＣ（ＳＣＣ）と呼ばれる。
【００２６】
ＰＣＣは、ＵＥによって異なり得る。また、ＰＣＣは、複数のＣＣの中で最も重要なＣＣであるので、通信品質が最も安定しているＣＣであることが望ましい。なお、どのＣＣをＰＣＣとするかは、実際には、どのように実装するかに依存する。
【００２７】
また、ＵＥが最初に接続を確立するＣＣが、当該ＵＥにとってのＰＣＣである。ＳＣＣは、ＰＣＣに追加される。即ち、ＰＣＣは、主要な周波数帯域であり、ＳＣＣは、補助的な周波数帯域である。ＳＣＣの変更は、既存のＳＣＣの削除と新たなＳＣＣの追加により行われる。ＰＣＣの変更は、従来の周波数間ハンドオーバの手順で行われる。キャリアアグリゲーションでは、ＵＥは、ＳＣＣのみを使用することはできず、必ず１つのＰＣＣを使用する。
【００２８】
また、ＰＣＣは、接続の制御（例えば、接続のセットアップ、接続のメンテナンス、等）のために使用される。ＵＥは、複数のＣＣを使用している場合であっても、各ＣＣにおいて接続状態になるわけではない。ＵＥは、ＰＣＣのみで接続状態となる。
【００２９】
なお、ＰＣＣは、プライマリセル（Primary  Cell）と呼ばれることもある。また、ＳＣＣは、セカンダリセル（Secondary  Cell）と呼ばれることもある。
【００３０】
−クロスキャリアスケジューリング
ＣＣには、ＰＤＣＣＨ（Physical  Downlink  Control  Channel）があるＣＣと、ＰＤＣＣＨがないＣＣとがある。少なくともＰＣＣには、ＰＤＣＣＨが存在する。あるＣＣにＰＤＣＣＨがない場合には、当該ＣＣのための制御情報（スケジューリング情報）は他のＣＣのＰＤＣＣＨで送信される。このような形態は、クロスキャリアスケジューリングと呼ばれる。
【００３１】
ＰＤＣＣＨの各サーチスペースの中には複数のＤＣＩ（Downlink  Control  Information）が存在する。そして、ＤＣＩの中には、３ビットのＣＩＦ（Carrier  Identity  Field）が存在する。当該ＣＩＦは、他のＣＣを指定する。即ち、ＣＩＦで指定されるＣＣの制御情報が、ＤＣＩの中に存在する。
【００３２】
１つのＣＣは、複数のＣＣにより制御されることはなく、必ず１つのＣＣにより制御される。換言すると、１つのＣＣのための制御情報は、複数のＣＣに分散して配置されることはなく、１つのＣＣに配置される。ＵＥは、ＣＣにＣＩＦがあるか否かを、ＲＲＣシグナリングにより事前に通知される。
【００３３】
−ｅＰＤＣＣＨ
リリース１１では、ＰＤＣＣＨの領域の不足という問題がクローズアップされた。そこで、ｅＰＤＣＣＨ（Enhanced  PDCCH）という新たな制御領域の開拓が行われた。ｅＰＤＣＣＨは、従来のＰＤＳＣＨの領域内に配置されることが決められている。
【００３４】
（測定）
測定（measurement）とは、伝送路の品質を測定することを示す。測定は、ＵＥにより行われる。そして、当該測定の結果は、ＵＥによりｅＮＢ（Evolved  Node  B）に報告される。
【００３５】
−測定対象
測定対象として３種類の周波数帯域がある。第１に、サービングセルで使用している周波数帯域が測定対象である。即ち、ＵＥが接続中のｅＮＢとの無線通信に使用している周波数帯域である。キャリアアグリゲーションの場合には、ＰＣＣ及びＳＣＣが測定対象である。また、第２に、ｅＮＢにより送信されるシステム情報（System  Information）に含まれるホワイトリストの中にある周波数帯域が、測定対象の周波数帯域である。また、第３に、ＵＥが検出した周波数帯域が、測定対象の周波数帯域である。
【００３６】
−ＲＳＲＰ及びＣＲＳ
ダウンリンクの代表的な測定結果は、ＲＳＲＰ（Reference  Signal  Received  Power）及びＲＳＲＱ（Reference  Signal  Received  Quality）である。ＲＳＲＰ及びＲＳＲＱは、ＣＲＳ（Cell  Specific  Reference  Symbol）を用いた測定により得られる値である。具体的には、ＲＳＲＰは、ＣＲＳの電力を測定した結果である。また、ＲＳＲＱは、ＲＳＲＰ及びＲＳＳＩ（Received  Signal  Strength  Indicator）から算出される。通常、ＵＥは、ＲＳＲＰ及びＲＳＲＱの両方を報告する。
【００３７】
−測定結果の使用目的
ＲＳＲＰ及びＲＳＳＱは、セルの選択（Cell  Selection）、セルの再選択（Cell  Reselection）、及びハンドオーバのために使用される。
【００３８】
例えば、ＵＥがＲＲＣ接続状態である場合に、ＵＥにより報告される測定結果は、例えば、ハンドオーバの決定のために利用される。即ち、ｅＮＢは、ＵＥにより報告される測定結果に基づいて、ハンドオーバの決定を行う。
【００３９】
また、例えば、ＵＥがＲＲＣアイドル状態である場合に、ＵＥにより報告される測定結果は、例えば、セルの選択のために利用される。即ち、ＵＥは、ＲＲＣ（Radio  Resource  Control）アイドル状態である場合にも測定を行う。これにより、ＵＥは、ページングチャネルでの情報の受信のために最適なセル又はｅＮＢを選択し、ランダムアクセスを行う際の最適なセル又はｅＮＢを選択することが可能になる。
【００４０】
−報告イベント
所定のイベントが、ＵＥによる測定結果の報告をトリガする。即ち、所定のイベントが発生すると（所定のイベントの条件が満たされると）、ＵＥは、測定結果をｅＮＢに報告する。リリース８では、上記所定のイベントとして、イベントＡ１〜Ａ５の５種類のイベントが定められている。また、上記所定のイベントとして、キャリアアグリゲーション用のイベントＡ６が定められている。
【００４１】
例えば、イベントＡ１の条件は、サービングセルの品質（例えば、ＲＳＲＰ又はＲＳＲＱ）が閾値よりも良くなることである。また、イベントＡ２の条件は、サービングセルの品質が閾値よりも悪くなることである。また、イベントＡ３の条件は、ネイバ（neighbor）セルの品質がサービングセルの品質よりも閾値以上よくなることである。また、イベントＡ４の条件は、ネイバセルの品質が閾値よりもよくなることである。また、イベントＡ５の条件は、サービングセルの品質が第１の閾値より悪くなり、且つネイバセルの品質が第２の閾値よりもよくなることである。
【００４２】
キャリアアグリゲーションが用いられる場合に、イベントＡ３の条件は、ネイバセルの品質がプライマリセルの品質よりも閾値以上よくなることである。また、イベントＡ５の条件は、プライマリセルの品質が第１の閾値より悪くなり、且つネイバセルの品質が第２の閾値よりもよくなることである。また、イベントＡ６の条件は、ネイバセルの品質がセカンダリセルの品質よりも閾値以上よくなることである。
【００４３】
（スモールセル）
−送信電力
スモールセルの基地局の送信電力は、マクロセルの基地局の送信電力よりも小さい。その結果、スモールセルの半径は、マクロセルの半径よりも小さくなる。
【００４４】
−リリース１０のピコｅＮＢ
ＬＴＥでは、具体的には、ピコセルと呼ばれるスモールセルが用いられる。また、ＬＴＥでは、基地局は、ｅＮＢ（evolved  Node  B）と呼ばれる。そして、また、当該ピコセルの基地局は、ピコｅＮＢと呼ばれる。また、マクロセルの基地局は、マクロｅＮＢと呼ばれる。
【００４５】
３ＧＰＰ（Third  Generation  Partnership  Project）のリリース１０では、ピコｅＮＢは、マクロｅＮＢと光ファイバで接続されるアナログ部及びアンテナ部を含み、ＲＲＨ（Remote  Radio  Head）と呼ばれる。また、マクロｅＮＢ及びピコｅＮＢは、同一の周波数帯域を使用する。また、ピコセルは、マクロセルと一部又は全体で重なる（overlap）。このような基地局の配置形態は、ヘテロジニアスネットワーク（Ｈｅｔ−Ｎｅｔ：Heterogeneous  Network）と呼ばれる。Ｈｅｔ−Ｎｅｔでは、マクロｅＮＢとピコｅＮＢとの間の干渉を減らすことが重要であるので、３ＧＰＰでは、当該干渉を低減する手段についての議論が盛んに行われた。当該手段の１つとして、マクロｅＮＢがほとんどの送信を停止するＡＢＳ（Almost  Blank  Subframe）を設けることが検討された。
【００４６】
−リリース１２でのスモールセル
リリース１２で検討されているスモールセルも、例えばピコセルである。この点は、リシース１２とリリース１０との間で同じである。一方、リリース１２では、マクロセルとピコセルとで別々の周波数帯域が使用されるというシナリオが示されている。例えば、マクロｅＮＢは、２ＧＨｚ程度のより低い周波数帯域を使用し、ピコｅＮＢは、５ＧＨｚ程度のより高い周波数帯域を使用する。
【００４７】
また、マクロセルはピコセルよりも広いので、マクロｅＮＢがピコｅＮＢの代わりに制御信号を送信することも検討されている。
【００４８】
また、スモールセルについての２つのシナリオが検討されている。以下、この点について図１及び図２を参照して具体例を説明する。
【００４９】
図１は、スモールセルについての第１のシナリオを説明するための説明図である。本明細書では、当該第１のシナリオをシナリオＡと呼ぶ。シナリオＡは、ＵＥがマクロセル及びスモールセルの両方のカバレッジに同時にいるシナリオである。図１を参照すると、マクロセル２０及びマクロｅＮＢ２１が示されている。また、ピコセル３０Ａ及びピコｅＮＢ３１Ａ、並びにピコセル３０Ｂ及びピコｅＮＢ３１Ｂも、示されている。マクロｅＮＢ２１が周波数帯域Ｆ１を使用し、ピコｅＮＢ３１が周波数帯域Ｆ２を使用する。この場合に、シナリオＡでは、ＵＥは、周波数帯域Ｆ１を使用してマクロｅＮＢ２１との無線通信を行い、周波数帯域Ｆ２を使用してピコｅＮＢ３１との無線通信を行うことができる。なお、シナリオＡは、例えば、マクロｅＮＢ２１は屋外で用いられ、ピコｅＮＢ３１は屋外又は屋内で用いられるシナリオである。
【００５０】
図２は、スモールセルについての第２のシナリオを説明するための説明図である。本明細書では、当該第２のシナリオをシナリオＢと呼ぶ。シナリオＢは、ＵＥがマクロセル及びスモールセルの両方のカバレッジに同時にいないシナリオである。具体的には、シナリオＢは、ＵＥがスモールセルのカバレッジにいるがマクロセルのカバレッジにいないシナリオである。図２を参照すると、ピコセル３０Ｃ及びピコｅＮＢ３１Ｃ、ピコセル３０Ｄ及びピコｅＮＢ３１Ｄ、並びにピコセル３０Ｅ及びピコｅＮＢ３１Ｅが、示されている。シナリオＢでは、ピコｅＮＢ３１は周波数帯域Ｆ１又は周波数帯域Ｆ２を使用する。例えば、シナリオＢでもピコｅＮＢ３１が周波数帯域Ｆ２を使用することが考えられる。この場合に、シナリオＢでは、ＵＥは、周波数帯域Ｆ２を使用してピコｅＮＢ３１との無線通信を行うことができる。なお、シナリオＢでは、ピコセル３０がマクロセルと重なるか否かは問われない。
【００５１】
−シナリオＡとシナリオＢとの関係
シナリオＡでは、マクロセルで使用されるＣＣをＰＣＣとして使用することにより、多くのシグナリングを必要とするハンドオーバの頻度を減らすことができる。その結果、ＵＥ及びｅＮＢにとっての負荷を減らすことができる。
【００５２】
ピコｅＮＢが屋内に配置された場合に、屋内ではマクロｅＮＢの電波が届かず、結果的に、スモールセルのシナリオが、シナリオＡではなくシナリオＢになってしまう場合も考えられる。よって、１つのＵＥに着目した場合に、例えば当該１つのＵＥが屋内と屋外を行き来すると、当該１つのＵＥにとってのシナリオは、シナリオＡとシナリオＢとの間で切り替わり得る。このように、シナリオＡとシナリオＢとの切替えは、ＵＥごとに発生し得る。
【００５３】
−スモールセルのシナリオとキャリアアグリゲーションとの関係
マクロセルとピコセルとの各々で複数のＣＣが使用されることが考えられる。この場合に、マクロセルのためのＣＣ及びピコセルのためのＣＣの組合せをキャリアアグリゲーションにより使用することが考えられる。
【００５４】
シナリオＡでは、マクロセルのためのＣＣがＰＣＣとして使用されることが考えられる。一方、シナリオＢでは、マクロセルのためのＣＣが使用されないので、ピコセルのためのＣＣがＰＣＣとして使用される。
【００５５】
＜＜２．本開示の実施形態に係る通信システムの概略的な構成＞＞
続いて、図３を参照して、本開示の実施形態に係る通信システム１の概略的な構成を説明する。図３は、本開示の実施形態に係る通信システム１の概略的な構成の一例を示す説明図である。図３を参照すると、通信システム１は、ＵＥ１００、マクロｅＮＢ２００及びピコｅＮＢ３００を含む。この例では、通信システム１は、ＬＴＥ、ＬＴＥ−Ａｄｖａｎｃｅｄ、又はこれらに準ずる通信方式に従ったシステムである。
【００５６】
（ＵＥ１００）
ＵＥ１００は、マクロセル２０内に位置する場合に、マクロｅＮＢ２００との無線通信を行う。また、ＵＥ１００は、ピコセル３０内に位置する場合に、ピコｅＮＢ３００との無線通信を行う。なお、マクロセル２０は、ピコセル３０の一部又は全体と重なる。換言すると、ピコセル３０は、一部又は全体でマクロセル２０と重なる。
【００５７】
例えば、ＵＥ１００は、複数の周波数帯域を使用して無線通信を行うことができる。より具体的には、例えば、ＵＥ１００は、１つの主要な周波数帯域及び１つ以上の補助的な周波数帯域を使用して無線通信を行うことができる。即ち、ＵＥ１００は、キャリアアグリゲーションをサポートし、１つのＰＣＣ及び１つ以上のＳＣＣを使用して無線通信を行うことができる。
【００５８】
キャリアアグリゲーションの具体的な形態として、例えば、ＵＥ１００は、マクロセル２０のための複数のＣＣを使用してマクロｅＮＢ２００との無線通信を行うことができる。また、例えば、ＵＥ１００は、ピコセル３０のための複数のＣＣを使用してピコｅＮＢ３００との無線通信を行うことができる。本明細書では、マクロセル２０のためのＣＣ（マクロセル２０で使用されるＣＣ）を「マクロセル用ＣＣ」と呼び、ピコセル３０のためのＣＣ（ピコセル３０で使用されるＣＣ）を「ピコセル用ＣＣ」と呼ぶ。
【００５９】
さらに、例えば、ＵＥ１００は、１つ以上のマクロセル用ＣＣを使用してマクロｅＮＢ２００との無線通信を行いつつ、１つ以上のピコセル用ＣＣを使用してピコｅＮＢ３００との無線通信を行うこともできる。即ち、ＵＥ１００は、マクロセル用ＣＣとピコセル用ＣＣとの組合せを使用するキャリアアグリゲーションをサポートする。
【００６０】
（マクロｅＮＢ２００）
マクロｅＮＢ２００は、マクロセル２０内に位置するＵＥ１００との無線通信を行う。
【００６１】
例えば、マクロｅＮＢ２００は、複数の周波数帯域を使用して無線通信を行う。当該複数の周波数帯域は、複数のコンポーネントキャリア（ＣＣ）である。一例として、マクロｅＮＢ２００により使用される当該複数のＣＣ（即ち、複数のマクロセル用ＣＣ）の各々は、２ＭＨｚ帯における帯域である。
【００６２】
また、例えば、マクロｅＮＢ２００は、キャリアアグリゲーションをサポートする。即ち、マクロｅＮＢ２００は、１つのＵＥ１００との無線通信に、複数のマクロセル用ＣＣを使用することができる。
【００６３】
（ピコｅＮＢ３００）
ピコｅＮＢ１００は、ピコセル３０内に位置するＵＥ１００との無線通信を行う。ピコセル３０は、マクロセル２０と一部又は全体で重なる。
【００６４】
例えば、ピコｅＮＢ３００は、複数の周波数帯域を使用して無線通信を行う。当該複数の周波数帯域は、複数のコンポーネントキャリア（ＣＣ）である。例えば、ピコｅＮＢ３００により使用される当該複数のＣＣ（即ち、複数のピコセル用ＣＣ）の各々は、マクロセル用ＣＣがある周波数帯よりもより高い周波数帯における帯域である。一例として、複数のピコセル用ＣＣの各々は、５ＭＨｚ帯における帯域である。
【００６５】
また、例えば、ピコｅＮＢ３００は、キャリアアグリゲーションをサポートする。即ち、ピコｅＮＢ３００は、１つのＵＥ１００との無線通信に、複数のピコセル用ＣＣを使用することができる。
【００６６】
＜＜３．第１の実施形態＞＞
続いて、図４〜図８を参照して、本開示の第１の実施形態を説明する。
【００６７】
＜３．１．概略＞
（課題）
例えば、ＬＴＥ及びＬＴＥ−Ａｄｖａｎｃｅｄでは、ＵＥがＲＲＣアイドル状態である場合（例えば、ＵＥの電源投入後）に、ＵＥは、ＲＲＣアイドル状態からＲＲＣ接続状態への遷移のために、ランダムアクセス手続きを行う。そして、どのコンポーネントキャリア（ＣＣ）でランダムアクセス手続きを行うかは、ＵＥにより決定される。即ち、どのｅＮＢと接続するかは、ＵＥにより決定される。
【００６８】
しかし、マクロセル及びピコセルが存在する場合に、多数のＵＥがマクロセルのＣＣでランダムアクセス手続きを行うと、マクロセルのＣＣにおいて、接続確立のためのシグナリングが増大し得る。その結果、無線リソース及び処理の観点からマクロｅＮＢに多大な負荷がかかってしまうことが懸念される。
【００６９】
なお、アクセスバーリング（Access  Barring）により、ＵＥによるマクロセルのＣＣでのランダムアクセス手続きを禁止し、又は減らすことが可能である。しかしながら、アクセスバーリングは、特定のＵＥのアクセスを禁止することはできない。例えば、マクロｅＮＢとの接続が必要なＵＥをマクロｅＮＢと接続させ、且つ、マクロｅＮＢとの接続が不要なＵＥをマクロｅＮＢと接続させないようにすることは、アクセスバーリングではできない。
【００７０】
そこで、第１の実施形態は、例えば、マクロセルの基地局にとっての負荷の増大を抑制することを可能にする。
【００７１】
（解決手段）
第１の実施形態によれば、ＵＥ１００は、いずれのｅＮＢとも接続されていない場合には、ピコｅＮＢ３００との接続のためのアクセス手続きを行う。
【００７２】
これにより、ＵＥ１００は、まずピコｅＮＢ３００に接続されるようになる。そのため、マクロｅＮＢ２００に接続されるＵＥ１００をネットワーク側で決めることが可能になる。よって、ＵＥ１００によるマクロｅＮＢ２００への接続を制限することが可能になる。そして、当該制限によれば、マクロセル２０のＣＣにおける接続確立のためのシグナリングの増大が抑えられ、結果として、マクロｅＮＢ２００にとっての負荷の増大を抑制され得る。このように、第１の実施形態によれば、マクロｅＮＢ２００にとっての負荷の増大を抑制することが可能になる。
【００７３】
＜３．２．ＵＥの構成＞
次に、図４を参照して、第１の実施形態に係るＵＥ１００−１の構成の一例を説明する。図４は、第１の実施形態に係るＵＥ１００−１の構成の一例を示すブロック図である。図４を参照すると、ＵＥ１００−１は、アンテナ部１１０、無線通信部１２０、記憶部１３０、入力部１４０、表示部１５０及び処理部１６０を備える。
【００７４】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【００７５】
（無線通信部１２０）
無線通信部１２０は、ＵＥ１００がマクロセル２０内に位置する場合に、マクロｅＮＢ２００との無線通信を行う。また、無線通信部１２０は、ＵＥ１００がピコセル３０内に位置する場合に、ピコｅＮＢ３００との無線通信を行う。
【００７６】
また、例えば、無線通信部１２０は、複数の周波数帯域（即ち、ＣＣ）を使用して無線通信を行う。具体的には、例えば、無線通信部１２０は、複数のマクロセル用ＣＣを使用してマクロｅＮＢ２００との無線通信を行う。また、例えば、無線通信部１２０は、複数のピコセル用ＣＣを使用してピコｅＮＢ３００との無線通信を行う。また、例えば、無線通信部１２０は、１つ以上のマクロセル用ＣＣを使用してマクロｅＮＢ２００との無線通信を行いつつ、１つ以上のピコセル用ＣＣを使用してピコｅＮＢ３００との無線通信を行う。
【００７７】
（記憶部１３０）
記憶部１３０は、ＵＥ１００の動作のためのプログラム及びデータを記憶する。
【００７８】
（入力部１４０）
入力部１４０は、ＵＥ１００のユーザによる入力を受け付ける。そして、入力部１４０は、入力結果を処理部１６０に提供する。
【００７９】
（表示部１５０）
表示部１５０は、ＵＥ１００からの出力画面（即ち、出力画像）を表示する。例えば、表示部１５０は、処理部１６０（表示制御部１６５）による制御に応じて、出力画面を表示する。
【００８０】
（処理部１６０）
処理部１６０は、ＵＥ１００−１の様々な機能を提供する。処理部１６０は、情報取得部１６１、通信制御部１６３及び表示制御部１６５を含む。
【００８１】
（情報取得部１６１）
情報取得部１６１は、通信制御部１６３による制御に必要な情報を取得する。例えば、情報取得部１６１は、無線通信部１２０を介して、他の装置からの情報を取得する。また、例えば、情報取得部１６１は、記憶部１３０に記憶されている情報を取得する。
【００８２】
−セル情報
とりわけ第１の実施形態では、情報取得部１６１は、マクロセル２０及びピコセル３０についての情報（以下、「セル情報」と呼ぶ）を取得する。
【００８３】
例えば、当該セル情報は、セルで使用される周波数帯域についての情報を含む。当該周波数帯域は、例えば、コンポーネントキャリア（ＣＣ）である。
【００８４】
具体的には、例えば、情報取得部１６１は、１つ以上のマクロセル用ＣＣ及び１つ以上のピコセル用ＣＣの情報（以下、「ＣＣ情報」と呼ぶ）を取得する。一例として、上記ＣＣ情報は、各ＣＣを識別するための情報を含む。また、別の例として、上記ＣＣ情報は、各ＣＣがマクロセル用ＣＣ及びピコセル用ＣＣのいずれであるかを示す情報を含む。また、別の例として、上記ＣＣ情報は、上記ＣＣにおける物理ランダムアクセスチャネル（Physical  Random  Access  Channel：ＰＲＡＣＨ）の情報を含む。
【００８５】
なお、上記セル情報（ＣＣ情報）は、例えば、システム情報（system  information）に含まれる情報である。
【００８６】
−ＵＥの状況に応じた情報
また、例えば、情報取得部１６１は、ＵＥ１００−１の状況に応じた上記情報を取得する。ＵＥ１００−１の状況に応じた当該情報については、後に詳細に説明する。
【００８７】
（通信制御部１６３）
通信制御部１６３は、ＵＥ１００−１による無線通信に関する制御を行う。
【００８８】
−アクセス手続き
とりわけ第１の実施形態では、通信制御部１６３は、ＵＥ１００−１がいずれのｅＮＢとも接続されていない場合には、ピコｅＮＢ３００−１との接続のためのアクセス手続きを行う。換言すると、通信制御部１６３は、ＵＥ１００−１がいずれのｅＮＢとも接続されていない場合には、マクロｅＮＢ２００−１との接続のためのアクセス手続きを行わない。当該アクセス手続きは、例えば、ランダムアクセス手続きである。
【００８９】
より具体的には、例えば、通信制御部１６３は、ＵＥ１００−１がＲＲＣアイドル状態である場合には、マクロセル用ＣＣでのランダムアクセス手続きを行わず、ピコセル用ＣＣでのランダムアクセス手続きを行う。即ち、通信制御部１６３は、ＵＥ１００−１がＲＲＣアイドル状態である場合には、無線通信部１２０に、ピコセル用ＣＣのＰＲＡＣＨでランダムアクセスプリアンブルを送信させる。そして、通信制御部１６３は、ピコセル用ＣＣにおいて、ＲＲＣ接続確立（RRC  Connection  Establishment）を行う。その結果、通信制御部１６３は、ＲＲＣアイドル状態からＲＲＣ接続状態に遷移し、上記ピコセル用ＣＣが、ＵＥ１００−１にとってのプライマリコンポーネントキャリア（ＰＣＣ）となる。
【００９０】
これにより、ＵＥ１００−１は、まずピコｅＮＢ３００−１に接続されるようになる。そのため、マクロｅＮＢ２００に接続されるＵＥ１００−１をネットワーク（例えば、ピコｅＮＢ３００−１）側で決めることが可能になる。よって、ＵＥ１００−１によるマクロｅＮＢ２００への接続を制限することが可能になる。そして、当該制限によれば、マクロセルのＣＣにおける接続確立のためのシグナリングの増大が抑えられ、結果として、マクロｅＮＢ２００にとっての負荷の増大が抑制され得る。このように、マクロｅＮＢ２００にとっての負荷の増大を抑制することが可能になる。
【００９１】
−情報提供
例えば、通信制御部１６３は、ＵＥ１００−１がピコｅＮＢ３００−１と接続された後に、ＵＥ１００−１の状況に応じた情報をピコｅＮＢ３００−１に提供する。具体的には、例えば、通信制御部１６３は、無線通信部１２０に、ＵＥ１００−１の状況に応じた上記情報をピコｅＮＢ３００−１へ送信させる。
【００９２】
−−移動状況情報
第１の例として、ＵＥ１００−１の状況に応じた上記情報は、ＵＥ１００−１の移動状況の情報（以下、「移動状況情報」）を含む。一例として、当該移動状況情報は、ＵＥ１００−１の移動速度の情報である。
【００９３】
これにより、ネットワーク側では、ＵＥ１００−１の移動状況に応じて、マクロｅＮＢ２００に接続されるＵＥ１００−１を決めることが可能になる。そのため、例えば、ＵＥ１００−１の移動速度が速い場合に、ＵＥ１００−１にマクロセル用ＣＣをＰＣＣとして使用させることが可能になる。その結果、例えば、ＵＥ１００−１のハンドオーバの頻度が抑えられる。
【００９４】
−−要求情報
第２の例として、ＵＥ１００−１の状況に応じた上記情報は、無線通信に関するＵＥ１００−１の要求の情報（以下、「要求情報」と呼ぶ）を含む。例えば、当該要求情報は、ＵＥ１００−１が無線通信のために使用するＣＣの数の情報、又は、ＵＥ１００−１の無線通信におけるスループットの情報を含む。即ち、上記要求情報は、ＵＥ１００−１により要求されるＣＣの数の情報、又は、ＵＥ１００−１により要求されるスループットの情報を含む。
【００９５】
これにより、ネットワーク側では、無線通信に関するＵＥ１００−１の要求に応じて、マクロｅＮＢ２００に接続されるＵＥ１００−１を決めることが可能になる。そのため、例えば、ＵＥ１００−１が多数のＣＣを使用することを求める場合に、ＵＥ１００−１にマクロセル用ＣＣをＰＣＣとして使用させることが可能になる。その結果、例えば、多数のＳＣＣのアクティベーションが行われたにもかかわらず、（ＰＣＣのハンドオーバにより）短時間の間に上記多数のＳＣＣのデアクティベーションが行われる可能性が、低減される。また、例えば、ＵＥ１００−１が高いスループットを求める場合に、ＵＥ１００−１にマクロセル用ＣＣをＰＣＣとして使用させることが可能になる。その結果、例えば、高いスループットが求められるにもかかわらず、頻繁なハンドオーバに起因してスループットが低下する可能性が、低減される。
【００９６】
以上のように、ＵＥ１００−１の状況に応じた上記情報の提供により、例えば、マクロｅＮＢ２００への接続が有効であるＵＥ１００−１に、マクロｅＮＢ２００に接続させることが可能になる。具体的には、例えば、マクロセル用ＣＣのＰＣＣとしての使用が有効であるＵＥ１００−１に、マクロセル用ＣＣをＰＣＣとして使用させることが可能になる。
【００９７】
（表示制御部１６５）
表示制御部１６５は、表示部１５０による出力画面の表示を制御する。例えば、表示制御部１６５は、表示部１５０により表示される出力画面を生成し、当該出力画面を表示部１５０に表示させる。
【００９８】
＜３．３．ピコｅＮＢの構成＞
次に、図５を参照して、第１の実施形態に係るピコｅＮＢ３００−１の構成の一例を説明する。図５は、第１の実施形態に係るピコｅＮＢ３００−１の構成の一例を示すブロック図である。図５を参照すると、ピコｅＮＢ３００−１は、アンテナ部３１０、無線通信部３２０、ネットワーク通信部３３０、記憶部３４０及び処理部３５０を備える。
【００９９】
（アンテナ部３１０）
アンテナ部３１０は、無線信号を受信し、受信された無線信号を無線通信部３２０へ出力する。また、アンテナ部３１０は、無線通信部３２０により出力された送信信号を送信する。
【０１００】
（無線通信部３２０）
無線通信部３２０は、ピコセル３０内に位置するＵＥ１００との無線通信を行う。例えば、無線通信部３２０は、複数の周波数帯域（即ち、複数のピコセル用ＣＣ）を使用して無線通信を行う。
【０１０１】
（ネットワーク通信部３３０）
ネットワーク通信部３３０は、他の通信ノードと通信する。当該他の通信ノードは、例えば、マクロｅＮＢ２００を含む。また、上記他の通信ノードは、別のピコｅＮＢ３００を含む。また、上記他の通信ノードは、コアネットワークの通信ノードを含む。例えば、当該コアネットワークは、ＥＰＣであり、当該通信ノードは、ＭＭＥ、Ｓ−ＧＷ等を含む。
【０１０２】
（記憶部３４０）
記憶部３４０は、ピコｅＮＢ３００の動作のためのプログラム及びデータを記憶する。
【０１０３】
（処理部３５０）
処理部３５０は、ピコｅＮＢ３００−１の様々な機能を提供する。処理部３５０は、情報取得部３５１及び通信制御部３５３を含む。
【０１０４】
（情報取得部３５１）
情報取得部３５１は、通信制御部３５３による制御に必要な情報を取得する。例えば、情報取得部３５１は、無線通信部３２０を介して、他の装置からの情報を取得する。また、例えば、情報取得部３５１は、記憶部３４０に記憶されている情報を取得する。
【０１０５】
例えば、ＵＥ１００−１の状況に応じた上記情報が、ＵＥ１００−１により送信されると、情報取得部３５１は、無線通信部３２０を介して、ＵＥ１００−１の状況に応じた上記情報を取得する。
【０１０６】
（通信制御部３５３）
通信制御部３５３は、ピコセル３０内での無線通信に関する制御を行う。
【０１０７】
−アクセス手続き
例えば、通信制御部３５３は、ＵＥ１００−１の接続のためのアクセス手続きを行う。より具体的には、例えば、通信制御部３５３は、ピコセル用ＣＣのＰＲＡＣＨでランダムアクセスプリアンブルが受信されると、無線通信部３２０に、ランダムアクセスレスポンスを送信させる。そして、通信制御部３５３は、ピコセル用ＣＣにおいて、ＲＲＣ接続確立を行う。
【０１０８】
−ハンドオーバ
例えば、通信制御部３５３は、ＵＥ１００−１の状況に応じた上記情報に基づいて、ＵＥ１００−１のハンドオーバを制御する。即ち、通信制御部３５３は、ＵＥ１００−１の状況に応じた上記情報に基づいて、ＵＥ１００のＰＣＣのハンドオーバを制御する。
【０１０９】
−−移動状況
上述したように、例えば、ＵＥ１００−１の状況に応じた上記情報は、上記移動状況情報を含む。そして、例えば、通信制御部３５３は、ＵＥ１００−１の移動速度が所定の速度を超える場合に、ピコセル用ＣＣからマクロセル用ＣＣへのＰＣＣのハンドオーバを決定し、当該ハンドオーバを実行する。
【０１１０】
−−要求
また、上述したように、例えば、ＵＥ１００−１の状況に応じた上記情報は、上記要求情報を含む。
【０１１１】
第１の例として、上記要求情報は、例えば、ＵＥ１００−１が無線通信のために使用するＣＣの数（即ち、ＵＥ１００−１により要求されるＣＣの数）の情報を含む。そして、例えば、通信制御部３５３は、要求されるＣＣの数が所定の数を超える場合に、ピコセル用ＣＣからマクロセル用ＣＣへのＰＣＣのハンドオーバを決定し、当該ハンドオーバを実行する。
【０１１２】
第２の例として、上記要求情報は、例えば、ＵＥ１００−１の無線通信におけるスループット（即ち、ＵＥ１００−１により要求されるスループット）の情報を含む。そして、例えば、通信制御部３５３は、要求されるスループットが所定の値を超える場合に、ピコセル用ＣＣからマクロセル用ＣＣへのＰＣＣのハンドオーバを決定し、当該ハンドオーバを実行する。
【０１１３】
＜３．４．処理の流れ＞
次に、図６〜図８を参照して、第１の実施形態に係る通信制御処理の例を説明する。
【０１１４】
（第１の通信制御処理：ランダムアクセス手続きに係るＵＥ側の処理）
図６は、第１の実施形態に係る第１の通信制御処理（ランダムアクセス手続きに係るＵＥ側の処理）の概略的な流れの一例を示すフローチャートである。当該第１の通信制御処理は、ＵＥ１００−１がＲＲＣアイドル状態である場合に実行される。
【０１１５】
ステップＳ４０１で、情報取得部１６１は、マクロセル２０及びピコセル３０についての情報（即ち、セル情報）を取得する。
【０１１６】
ステップＳ４０３で、通信制御部１６３は、ピコｅＮＢ３００−１との接続のためのランダムアクセス手続きを行う。即ち、通信制御部１６３は、ピコセル用ＣＣでのランダムアクセス手続きを行う。その結果、ＵＥ１００−１は、ＲＲＣ接続状態となる。そして、処理は終了する。
【０１１７】
（第２の通信制御処理：情報提供及びハンドオーバに係るＵＥ側の処理）
図７は、第１の実施形態に係る第２の通信制御処理（情報提供及びハンドオーバに係るＵＥ側の処理）の概略的な流れの一例を示すフローチャートである。当該第２の通信制御処理は、ＵＥ１００−１がピコｅＮＢ３００−１とのＲＲＣ接続状態である場合（即ち、ピコセル用ＣＣがＰＣＣである場合）に実行される。
【０１１８】
ステップＳ４２１で、情報取得部１６１は、ＵＥ１００−１の移動状況の情報（即ち、移動状況情報）、及び無線通信に関するＵＥ１００−１の要求の情報（即ち、要求情報）を取得する。この例では、上記移動状況情報は、ＵＥ１００−１の移動速度の情報を含む。また、上記要求情報は、ＵＥ１００−１が無線通信のために使用するＣＣの数（即ち、ＵＥ１００−１により要求されるＣＣの数）の情報を含む。
【０１１９】
ステップＳ４２３で、通信制御部１６３は、上記移動状況情報及び上記要求情報をピコｅＮＢ３００−１に提供する。
【０１２０】
ステップＳ４２５で、通信制御部１６３は、マクロセル２０へのハンドオーバの指示があったかを判定する。マクロセル２０へのハンドオーバの指示があった場合には、処理はステップＳ４２７へ進む。そうでなければ、処理はステップＳ４２９へ進む。
【０１２１】
ステップＳ４２７で、通信制御部１６３は、マクロセル２０へのハンドオーバを実行する。即ち、通信制御部１６３は、マクロセル用ＣＣへのＰＣＣのハンドオーバを実行する。そして、処理は終了する。
【０１２２】
ステップＳ４２９で、通信制御部１６３は、ピコセル３０での無線通信を継続する。そして、処理はステップＳ４２１へ戻る。
【０１２３】
なお、いずれかのタイミングで、別のトリガにより、ＵＥ１００−１がマクロセル２０（マクロｅＮＢ２００）へのハンドオーバを実行した場合に、上記第２の通信制御処理が終了してもよい。
【０１２４】
（第３の通信制御処理：ハンドオーバに係るピコｅＮＢ側の処理）
図８は、第１の実施形態に係る第３の通信制御処理（ハンドオーバに係るピコｅＮＢ側の処理）の概略的な流れの一例を示すフローチャートである。当該第３の通信制御処理は、ピコｅＮＢ３００−１とのＲＲＣ接続状態にあるＵＥ１００−１ごとに実行される。
【０１２５】
ステップＳ４４１で、情報取得部３５１は、ＵＥ１００−１の移動状況の情報（即ち、移動状況情報）、及び無線通信に関するＵＥ１００−１の要求の情報（即ち、要求情報）を取得する。この例では、上記移動状況情報は、ＵＥ１００−１の移動速度の情報を含む。また、上記要求情報は、ＵＥ１００−１が無線通信のために使用するＣＣの数（即ち、ＵＥ１００−１により要求されるＣＣの数）の情報を含む。
【０１２６】
ステップＳ４４３で、通信制御部３５３は、ＵＥ１００−１の移動速度が所定の速度を超えるかを判定する。当該移動速度が所定の速度を超える場合には、処理はステップＳ４４７へ進む。そうでなければ、処理はステップＳ４４５へ進む。
【０１２７】
ステップＳ４４５で、通信制御部３５３は、ＵＥ１００−１により要求されるＣＣの数が所定の数を超えるかを判定する。要求されるＣＣの数が所定の数を超える場合には、処理はステップＳ４４７へ進む。そうでなければ、処理はステップＳ４４１へ戻る。
【０１２８】
ステップＳ４４７で、通信制御部３５３は、マクロセル２０へのＵＥ１００−１のハンドオーバを決定する。
【０１２９】
ステップＳ４４９で、通信制御部３５３は、マクロセル２０へのＵＥ１００−１のハンドオーバを実行する。そして、処理は終了する。
【０１３０】
なお、いずれかのタイミングで、別のトリガにより、ＵＥ１００−１がマクロセル２０（マクロｅＮＢ２００）へのハンドオーバを実行した場合に、上記第２の通信制御処理が終了してもよい。また、いずれかのタイミングで、ＵＥ１００−１が別のピコセル３０（別のピコｅＮＢ３００−１）へのハンドオーバを実行した場合に、上記第２の通信制御処理が終了してもよい。
【０１３１】
以上、本開示の第１の実施形態を説明した。なお、第１の実施形態に係るＵＥ１００−１は、マシンタイプ通信（Machine  Type  Communication：ＭＴＣ）を行う装置（以下、「ＭＴＣ装置」と呼ぶ）であってもよい。これにより、とりわけＭＴＣ装置に起因するマクロセルの基地局にとっての負荷の増大を抑制することが可能になる。また、この場合に、ＵＥ１００−１は、ＵＥ１００−１の状況に応じた上記情報の取得及び提供を行わなくてもよい。
【０１３２】
＜＜４．第２の実施形態＞＞
続いて、図９〜図１３を参照して、本開示の第２の実施形態を説明する。
【０１３３】
＜４．１．概略＞
（課題）
第２の実施形態に係る課題は、第１の実施形態に係る課題と同一である。即ち、第２の実施形態も、例えば、マクロセルの基地局にとっての負荷の増大を抑制することを可能にする。
【０１３４】
（解決手段）
第２の実施形態によれば、ＵＥ１００は、いずれのｅＮＢとも接続されていない場合には、ｅＮＢ（とりわけマクロｅＮＢ２００）とのアクセス手続きにおいて、ＵＥ１００の状況に応じた情報を含むメッセージを上記ｅＮＢに提供する。一方、マクロｅＮＢ２００は、ＵＥ１００に状況に応じた上記情報に基づいて、ＵＥ１００の接続を許可するかを判定する。
【０１３５】
これにより、アクセス手続きにおいて、ＵＥ１００の状況を考慮して、マクロｅＮＢ２００に接続されるＵＥ１００をネットワーク側で決めることが可能になる。そのため、マクロｅＮＢ２００に接続されないＵＥ１００については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００にとっての負荷の増大を抑制され得る。このように、第２の実施形態によれば、マクロｅＮＢ２００にとっての負荷の増大を抑制することが可能になる。
【０１３６】
＜４．２．ＵＥの構成＞
次に、図９を参照して、第２の実施形態に係るＵＥ１００−２の構成の一例を説明する。図９は、第２の実施形態に係るＵＥ１００−２の構成の一例を示すブロック図である。図９を参照すると、ＵＥ１００−２は、アンテナ部１１０、無線通信部１２０、記憶部１３０、入力部１４０、表示部１５０及び処理部１７０を備える。
【０１３７】
ここで、アンテナ部１１０、無線通信部１２０、記憶部１３０、入力部１４０及び表示部１５０、並びに、処理部に含まれる表示制御部１６５については、第２の実施形態と上述した第１の実施形態との間に差異はない。よって、ここでは、処理部１７０のうちの情報取得部１７１及び通信制御部１７３のみを説明する。
【０１３８】
（情報取得部１７１）
情報取得部１７１は、通信制御部１７３による制御に必要な情報を取得する。例えば、情報取得部１７１は、無線通信部１２０を介して、他の装置からの情報を取得する。また、例えば、情報取得部１７１は、記憶部１３０に記憶されている情報を取得する。
【０１３９】
とりわけ第２の実施形態では、情報取得部１７１は、ＵＥ１００−２の状況に応じた情報を取得する。ＵＥ１００−２の状況に応じた当該情報は、第１の実施形態において説明したとおりである。
【０１４０】
（通信制御部１７３）
通信制御部１７３は、ＵＥ１００−２による無線通信に関する制御を行う。
【０１４１】
−アクセス手続きにおける情報提供
とりわけ第２の実施形態では、通信制御部１７３は、ＵＥ２００−２がいずれのｅＮＢとも接続されていない場合に、ｅＮＢとの接続のためのアクセス手続きにおいて、ＵＥ１００−２の状況に応じた上記情報を含むメッセージを上記ｅＮＢに提供する。上記アクセス手続きは、例えば、ランダムアクセス手続きである。
【０１４２】
例えば、上記メッセージに含まれる、ＵＥ１００−２の状況に応じた上記情報は、ｅＮＢとの接続を許可するかを判定するために使用される情報である。より具体的には、例えば、ＵＥ１００−２の状況に応じた上記情報は、マクロｅＮＢ２００−２との接続を許可するかを判定するために使用される情報である。
【０１４３】
また、例えば、上記メッセージは、上記アクセス手続きにおける、通信プロトコルのレイヤ２又はレイヤ３のメッセージである。より具体的には、例えば、上記メッセージは、ランダムアクセス手続きにおけるＬ２メッセージ又はＬ３メッセージである。一例として、上記メッセージは、ＲＲＣ接続要求（RRC  Connection  Request）メッセージである。
【０１４４】
具体的な一例として、通信制御部１７３は、ＵＥ１００−２がＲＲＣアイドル状態である場合には、ｅＮＢとのランダムアクセス手続きにおいて、ＵＥ１００−２の状況に応じた上記情報を含むＲＲＣ接続要求メッセージを上記ｅＮＢに提供する。
【０１４５】
これにより、アクセス手続きにおいて、ＵＥ１００−２の状況を考慮して、マクロｅＮＢ２００に接続されるＵＥ１００−２をネットワーク側で決めることが可能になる。そのため、マクロｅＮＢ２００−２に接続されないＵＥ１００−２については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００−２にとっての負荷の増大を抑制され得る。このように、第２の実施形態によれば、マクロｅＮＢ２００−２にとっての負荷の増大を抑制することが可能になる。
【０１４６】
また、例えば、マクロｅＮＢ２００−２への接続が有効であるＵＥ１００−２に、マクロｅＮＢ２００−２に接続させることが可能になる。具体的には、例えば、マクロセル用ＣＣのＰＣＣとしての使用が有効であるＵＥ１００−２に、マクロセル用ＣＣをＰＣＣとして使用させることが可能になる。
【０１４７】
−−移動状況情報
第１の例として、ＵＥ１００−２の状況に応じた上記情報は、ＵＥ１００−２の移動状況の情報（即ち、移動状況情報）を含む。一例として、当該移動状況情報は、ＵＥ１００−２の移動速度の情報である。
【０１４８】
これにより、ネットワーク側では、ＵＥ１００−２の移動状況に応じて、マクロｅＮＢ２００−２に接続されるＵＥ１００−２を決めることが可能になる。そのため、例えば、ＵＥ１００−２の移動速度が速い場合に、ＵＥ１００−２にマクロセル用ＣＣをＰＣＣとして使用させることが可能になる。その結果、例えば、ＵＥ１００−２のハンドオーバの頻度が抑えられる。
【０１４９】
−−要求情報
第２の例として、ＵＥ１００−２の状況に応じた上記情報は、無線通信に関するＵＥ１００−２の要求の情報（即ち、要求情報）を含む。例えば、当該要求情報は、ＵＥ１００−２が無線通信のために使用するＣＣの数の情報、又は、ＵＥ１００−２の無線通信におけるスループットの情報を含む。即ち、上記要求情報は、ＵＥ１００−２により要求されるＣＣの数の情報、又は、ＵＥ１００−２により要求されるスループットの情報を含む。
【０１５０】
これにより、ネットワーク側では、無線通信に関するＵＥ１００−２の要求に応じて、マクロｅＮＢ２００−２に接続されるＵＥ１００−２を決めることが可能になる。そのため、例えば、ＵＥ１００−２が多数のＣＣを使用することを求める場合に、ＵＥ１００−２にマクロセル用ＣＣをＰＣＣとして使用させることが可能になる。その結果、例えば、多数のＳＣＣのアクティベーションが行われたにもかかわらず、（ＰＣＣのハンドオーバにより）短時間の間に上記多数のＳＣＣのデアクティベーションが行われる可能性が、低減される。また、例えば、ＵＥ１００−２が高いスループットを求める場合に、ＵＥ１００−２にマクロセル用ＣＣをＰＣＣとして使用させることが可能になる。その結果、例えば、高いスループットが求められるにもかかわらず、頻繁なハンドオーバに起因してスループットが低下する可能性が、低減される。
【０１５１】
−情報提供の対象となるｅＮＢ
なお、上記ｅＮＢは、マクロｅＮＢ２００−２であってもよい。即ち、通信制御部１７３は、ＵＥ１００−２の状況に応じた上記情報を含むメッセージをマクロｅＮＢ２００−２に送信し、ＵＥ１００−２の状況に応じた上記情報を含まないメッセージをピコｅＮＢ３００に送信してもよい。これにより、ピコｅＮＢ３００との接続のためのランダムアクセスアクセス手続きにおいて、無駄な情報の送信が回避される。なお、この場合に、各ＣＣがマクロセル用ＣＣ及びピコセル用ＣＣのいずれであるかを示す情報が、マクロｅＮＢ２００−２又はピコｅＮＢ３００により、ＵＥ１００−２に通知されてもよい。
【０１５２】
＜４．３．マクロｅＮＢの構成＞
次に、図１０を参照して、第２の実施形態に係るマクロｅＮＢ２００−２の構成の一例を説明する。図１０は、第２の実施形態に係るマクロｅＮＢ３００−２の構成の一例を示すブロック図である。図１０を参照すると、マクロｅＮＢ２００−１は、アンテナ部２１０、無線通信部２２０、ネットワーク通信部２３０、記憶部２４０及び処理部２５０を備える。
【０１５３】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【０１５４】
（無線通信部２２０）
無線通信部２２０は、マクロセル２０内に位置するＵＥ１００との無線通信を行う。例えば、無線通信部２２０は、複数の周波数帯域（即ち、複数のマクロセル用ＣＣ）を使用して無線通信を行う。
【０１５５】
（ネットワーク通信部２３０）
ネットワーク通信部２３０は、他の通信ノードと通信する。当該他の通信ノードは、例えば、ピコｅＮＢ３００を含む。また、上記他の通信ノードは、別のマクロｅＮＢ２００を含む。また、上記他の通信ノードは、コアネットワークの通信ノードを含む。例えば、当該コアネットワークは、ＥＰＣであり、当該通信ノードは、ＭＭＥ、Ｓ−ＧＷ等を含む。
【０１５６】
（記憶部２４０）
記憶部２４０は、マクロｅＮＢ２００の動作のためのプログラム及びデータを記憶する。
【０１５７】
（処理部２５０）
処理部２５０は、マクロｅＮＢ２００−２の様々な機能を提供する。処理部２５０は、情報取得部２５１及び通信制御部２５３を含む。
【０１５８】
（情報取得部２５１）
情報取得部２５１は、通信制御部２５３による制御に必要な情報を取得する。例えば、情報取得部２５１は、無線通信部２２０を介して、他の装置からの情報を取得する。また、例えば、情報取得部２５１は、記憶部２４０に記憶されている情報を取得する。
【０１５９】
とりわけ第２の実施形態では、情報取得部２５１は、ＵＥ１００−２の接続のためのアクセス手続きにおいて、ＵＥ１００−２の状況に応じた情報を含むメッセージがＵＥ１００−２により提供されると、当該情報を取得する。
【０１６０】
具体的には、例えば、ＲＲＣアイドル状態であるＵＥ１００−２が、ランダムアクセス手続きにおいて、ＵＥ１００−２の状況に応じた上記情報を含むＬ２／Ｌ３メッセージ（例えば、ＲＲＣ接続要求メッセージ）をマクロｅＮＢ２００−２へ送信する。すると、情報取得部２５１は、無線通信部２２０を介して、上記ＲＲＣ接続要求メッセージを取得し、当該ＲＲＣ接続要求メッセージから、ＵＥ１００−２の状況に応じた上記情報を取得する。
【０１６１】
一例として、上記Ｌ２／Ｌ３メッセージには、ＵＥ１００−２が３ＧＰＰの特定のリリース以降のＵＥであることを示すフラグが含まれる。情報取得部２５１は、上記Ｌ２／Ｌ３メッセージの中に上記フラグを発見した場合には、上記Ｌ２／Ｌ３メッセージに含まれる、ＵＥ１００−２の状況に応じた上記情報（移動状況情報、要求情報、等）を取得する。
【０１６２】
（通信制御部２５３）
通信制御部２５３は、マクロセル２０内での無線通信に関する制御を行う。
【０１６３】
−アクセス手続き
例えば、通信制御部２５３は、ＵＥ１００−２の接続のためのアクセス手続きを行う。より具体的には、例えば、通信制御部２５３は、マクロセル用ＣＣのＰＲＡＣＨでランダムアクセスプリアンブルが受信されると、無線通信部２２０に、ランダムアクセスレスポンスを送信させる。そして、通信制御部２５３は、マクロセル用ＣＣにおいて、ＲＲＣ接続確立を行う。
【０１６４】
−接続の許可の判定
とりわけ第２の実施形態では、通信制御部２５３は、ＵＥ１００−２の状況に応じた上記情報に基づいて、ＵＥ１００−２の接続を許可するかを判定する。即ち、通信制御部２５３は、ＵＥ１００−２の状況に応じた上記情報に基づいて、ＵＥ１００−２によるマクロセル用ＣＣのＰＣＣとしての使用を許可するかを判定する。
【０１６５】
−−移動状況
第１の例として、ＵＥ１００−２の状況に応じた上記情報は、上記移動状況情報を含む。そして、通信制御部２５３は、上記移動状況情報に基づいて、ＵＥ１００−２の接続を許可するかを判定する。
【０１６６】
具体的には、例えば、通信制御部２５３は、ＵＥ１００−２の移動速度が所定の速度を超える場合に、マクロｅＮＢ２００−２へのＵＥ１００−２の接続（即ち、ＵＥ１００−２によるマクロセル用ＣＣのＰＣＣとしての使用）を許可する。
【０１６７】
このように、移動状況情報による許可の判定により、例えば、ＵＥ１００−２の移動速度が速い場合に、ＵＥ１００−２にマクロセル用ＣＣをＰＣＣとして使用させることが可能になる。その結果、例えば、ＵＥ１００−２のハンドオーバの頻度が抑えられる。
【０１６８】
−−要求
第２の例として、ＵＥ１００−２の状況に応じた上記情報は、上記要求情報を含む。例えば、当該要求情報は、ＵＥ１００−２が無線通信のために使用するＣＣの数の情報、又は、ＵＥ１００−２の無線通信におけるスループットの情報を含む。即ち、上記要求情報は、ＵＥ１００−２により要求されるＣＣの数の情報、又は、ＵＥ１００−１により要求されるスループットの情報を含む。そして、通信制御部２５３は、上記要求情報に基づいて、ＵＥ１００−２の接続を許可するかを判定する。
【０１６９】
具体的には、例えば、通信制御部２５３は、要求されるＣＣの数が所定の数を超える場合に、マクロｅＮＢ２００−２へのＵＥ１００−２の接続（即ち、ＵＥ１００−２によるマクロセル用ＣＣのＰＣＣとしての使用）を許可する。
【０１７０】
また、例えば、通信制御部２５３は、要求されるスループットが所定の値を超える場合に、マクロｅＮＢ２００−２へのＵＥ１００−２の接続（即ち、ＵＥ１００−２によるマクロセル用ＣＣのＰＣＣとしての使用）を許可する。
【０１７１】
このように、要求情報による許可の判定により、例えば、ＵＥ１００−２が多数のＣＣを使用することを求める場合、又は、ＵＥ１００−２が高いスループットを求める場合に、ＵＥ１００−２にマクロセル用ＣＣをＰＣＣとして使用させることが可能になる。その結果、例えば、多数のＳＣＣのアクティベーションが行われたにもかかわらず、（ＰＣＣのハンドオーバにより）短時間の間に上記多数のＳＣＣのデアクティベーションが行われる可能性が、低減される。また、例えば、高いスループットが求められるにもかかわらず、頻繁なハンドオーバに起因してスループットが低下する可能性が、低減される。
【０１７２】
以上のように、ＵＥ１００−２の状況に応じた接続の許可の判定により、例えば、マクロｅＮＢ２００−２への接続が有効であるＵＥ１００−２に、マクロｅＮＢ２００−２に接続させることが可能になる。具体的には、例えば、マクロセル用ＣＣのＰＣＣとしての使用が有効であるＵＥ１００−２に、マクロセル用ＣＣをＰＣＣとして使用させることが可能になる。
【０１７３】
また、ＵＥ１００−２の状況に応じた接続の許可の判定により、アクセス手続きにおいて、ＵＥ１００−２の状況を考慮して、マクロｅＮＢ２００−２に接続されるＵＥ１００−２をネットワーク側で決めることが可能になる。そのため、マクロｅＮＢ２００−２に接続されないＵＥ１００−２については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００−２にとっての負荷の増大を抑制され得る。このように、第２の実施形態によれば、マクロｅＮＢ２００−２にとっての負荷の増大を抑制することが可能になる。
【０１７４】
＜４．４．処理の流れ＞
次に、図１１〜図１３を参照して、第２の実施形態に係る通信制御処理の例を説明する。
【０１７５】
（ランダムアクセス手続き）
図１１は、第２の実施形態に係るランダムアクセス手続きの概略的な流れの一例を示すシーケンス図である。
【０１７６】
まず、ＵＥ１００−２は、マクロセル用ＣＣのＰＲＡＣＨでランダムアクセスプリアンブルを送信する（Ｓ５１０）。
【０１７７】
すると、マクロｅＮＢ２００−２は、ランダムアクセスレスポンスをＵＥ１００−２に送信する（Ｓ５３０）。
【０１７８】
その後、ＵＥ１００−２は、ＵＥ１００−２の状況に応じた情報を含むＬ２／Ｌ３メッセージをマクロｅＮＢ２００−２へ送信する（Ｓ５５０）。当該Ｌ２／Ｌ３メッセージは、例えば、ＲＲＣ接続要求メッセージである。
【０１７９】
そして、マクロｅＮＢ２００−２は、競合解決（Contention  Resolution）情報をＵＥ１００−２へ送信する（Ｓ５７０）。
【０１８０】
なお、第２の実施形態では、マクロｅＮＢ２００−２は、ステップＳ５５０の後に、ＵＥ１００−２の接続を許可するかを判定する。
【０１８１】
（第１の通信制御処理：メッセージの提供に係るＵＥ側の処理）
図１２は、第２の実施形態に係る第１の通信制御処理（メッセージの提供に係るＵＥ側の処理）の概略的な流れの一例を示すフローチャートである。当該第１の通信制御処理は、図１１を参照して説明したランダムアクセス手続きの処理のうちのステップＳ５５０に対応する。
【０１８２】
ステップＳ５５１で、情報取得部１７１は、ＵＥ１００−２の移動状況の情報（即ち、移動状況情報）、及び無線通信に関するＵＥ１００−２の要求の情報（即ち、要求情報）を取得する。この例では、上記移動状況情報は、ＵＥ１００−２の移動速度の情報を含む。また、上記要求情報は、ＵＥ１００−２が無線通信のために使用するＣＣの数（即ち、ＵＥ１００−２により要求されるＣＣの数）の情報を含む。
【０１８３】
ステップＳ５５３で、通信制御部１７３は、上記移動状況情報及び上記要求情報を含むＬ２／Ｌ３メッセージをマクロｅＮＢ２００−２に提供する。例えば、当該Ｌ２／Ｌ３メッセージは、ＲＲＣ接続要求メッセージである。そして、処理は終了する。
【０１８４】
（第２の通信制御処理：ＵＥの接続の許可に係るマクロｅＮＢ側の処理）
図１３は、第２の実施形態に係る第２の通信制御処理（ＵＥの接続の許可に係るマクロｅＮＢ側の処理）の概略的な流れの一例を示すフローチャートである。当該第２の通信制御処理は、図１１を参照して説明したランダムアクセス手続きの処理のうちのステップＳ５５０の後に実行される。
【０１８５】
ステップＳ５６１で、情報取得部２５１は、ＵＥ１００−２の移動状況の情報（即ち、移動状況情報）、及び無線通信に関するＵＥ１００−２の要求の情報（即ち、要求情報）を取得する。この例では、上記移動状況情報は、ＵＥ１００−２の移動速度の情報を含む。また、上記要求情報は、ＵＥ１００−２が無線通信のために使用するＣＣの数（即ち、ＵＥ１００−２により要求されるＣＣの数）の情報を含む。
【０１８６】
ステップＳ５６３で、通信制御部２５３は、ＵＥ１００−２の移動速度が所定の速度を超えるかを判定する。当該移動速度が所定の速度を超える場合には、処理はステップＳ５６７へ進む。そうでなければ、処理はステップＳ５６５へ進む。
【０１８７】
ステップＳ５６５で、通信制御部２５３は、ＵＥ１００−２により要求されるＣＣの数が所定の数を超えるかを判定する。要求されるＣＣの数が所定の数を超える場合には、処理はステップＳ５６７へ進む。そうでなければ、処理はステップＳ５６９へ進む。
【０１８８】
ステップＳ５６７で、通信制御部２５３は、マクロｅＮＢ２００−２へのＵＥ１００−２の接続（即ち、ＵＥ１００−２によるマクロセル用ＣＣのＰＣＣとしての使用）を許可すると判定する。
【０１８９】
ステップＳ５６８で、通信制御部２５３は、マクロｅＮＢ２００−２へのＵＥ１００−２の接続（即ち、ＵＥ１００−２によるマクロセル用ＣＣのＰＣＣとしての使用）を許可する。そして、処理は終了する。
【０１９０】
ステップＳ５６９で、通信制御部２５３は、マクロｅＮＢ２００−２へのＵＥ１００−２の接続（即ち、ＵＥ１００−２によるマクロセル用ＣＣのＰＣＣとしての使用）を許可しないと判定する。そして、処理は終了する。
【０１９１】
＜＜５．第３の実施形態＞＞
続いて、図１４〜図１８を参照して、本開示の第３の実施形態を説明する。
【０１９２】
＜５．１．概略＞
（課題）
例えば、ＬＴＥ及びＬＴＥ−Ａｄｖａｎｃｅｄでは、ＵＥがＲＲＣアイドル状態である場合（例えば、ＵＥの電源投入後）に、ＵＥは、ＲＲＣアイドル状態からＲＲＣ接続状態への遷移のために、ランダムアクセス手続きを行う。そして、どのコンポーネントキャリア（ＣＣ）でランダムアクセス手続きを行うかは、ＵＥにより決定される。即ち、どのｅＮＢと接続するかは、ＵＥにより決定される。
【０１９３】
しかし、マクロセル及びピコセルが存在する場合に、多数のＵＥがマクロセルのＣＣでランダムアクセス手続きを行うと、マクロセルのＣＣにおいて、接続確立のためのシグナリングが増大し得る。その結果、無線リソース及び処理の観点からマクロｅＮＢに多大な負荷がかかってしまうことが懸念される。
【０１９４】
また、今後は、マシンタイプ通信（ＭＴＣ）を行う装置（即ち、ＭＴＣ装置）が増加すると考えられる。そのため、とりわけ、ＭＴＣ装置のランダムアクセス手続きに起因してマクロｅＮＢに多大な負荷がかかり得る。
【０１９５】
なお、アクセスバーリングにより、ＵＥによるマクロセルのＣＣでのランダムアクセス手続きを禁止し、又は減らすことが可能である。しかしながら、アクセスバーリングは、特定のＵＥのアクセスを禁止することはできない。例えば、ＭＣＴ装置ではないＵＥをマクロｅＮＢと接続させ、且つ、ＭＴＣ装置であるＵＥをマクロｅＮＢと接続させないようにすることは、アクセスバーリングではできない。
【０１９６】
そこで、例えば、ＭＴＣ装置に起因するマクロセルの基地局にとっての負荷の増大を抑制することを可能にする仕組みが提供されることが望ましい。
【０１９７】
（解決手段）
第３の実施形態によれば、ＵＥ１００は、ｅＮＢ（とりわけマクロｅＮＢ２００）との接続のためのアクセス手続きにおいて、ＵＥ１００がマシンタイプ通信を行う装置（ＭＴＣ装置）であることを示す装置情報を含むメッセージを上記ｅＮＢに提供する。一方、マクロｅＮＢ２００は、ＵＥ１００の接続のためのアクセス手続きにおいて上記装置情報が提供されると、ＵＥ１００の上記接続を許可しないと判定する。
【０１９８】
これにより、ＭＴＣ装置であるＵＥ１００については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００にとっての負荷の増大を抑制され得る。このように、第３の実施形態によれば、ＭＴＣ装置に起因するマクロｅＮＢ２００にとっての負荷の増大を抑制することが可能になる。
【０１９９】
＜５．２．ＵＥの構成＞
次に、図１４を参照して、第３の実施形態に係るＵＥ１００−３の構成の一例を説明する。図１４は、第３の実施形態に係るＵＥ１００−３の構成の一例を示すブロック図である。図１４を参照すると、ＵＥ１００−３は、アンテナ部１１０、無線通信部１２０、記憶部１３０、入力部１４０、表示部１５０及び処理部１８０を備える。とりわけ第３の実施形態では、ＵＥ１００−３は、ＭＴＣ通信を行う装置（ＭＴＣ装置）である。
【０２００】
ここで、アンテナ部１１０、無線通信部１２０、記憶部１３０、入力部１４０及び表示部１５０、並びに、処理部に含まれる表示制御部１６５については、第３の実施形態と上述した第１の実施形態との間に差異はない。よって、ここでは、処理部１８０のうちの情報取得部１８１及び通信制御部１８３のみを説明する。
【０２０１】
（情報取得部１８１）
情報取得部１８１は、通信制御部１８３による制御に必要な情報を取得する。例えば、情報取得部１８１は、無線通信部１２０を介して、他の装置からの情報を取得する。また、例えば、情報取得部１８１は、記憶部１３０に記憶されている情報を取得する。
【０２０２】
とりわけ第３の実施形態では、情報取得部１８１は、ＵＥ１００−３がＭＴＣ装置であることを示す装置情報を取得する。
【０２０３】
（通信制御部１８３）
通信制御部１８３は、ＵＥ１００−３による無線通信に関する制御を行う。
【０２０４】
−アクセス手続きにおける情報提供
とりわけ第３の実施形態では、通信制御部１８３は、ｅＮＢとの接続のためのアクセス手続きにおいて、ＵＥ２００−３がＭＴＣ装置であることを示す上記装置情報を含むメッセージを上記ｅＮＢに提供する。例えば、上記装置情報を含む上記メッセージを提供される上記ｅＮＢが、マクロｅＮＢ２００−３である場合に、上記ｅＮＢとの接続が許可されない。上記アクセス手続きは、例えば、ランダムアクセス手続きである。
【０２０５】
また、例えば、上記メッセージは、上記アクセス手続きにおける、通信プロトコルのレイヤ２又はレイヤ３のメッセージである。より具体的には、例えば、上記メッセージは、ランダムアクセス手続きにおけるＬ２メッセージ又はＬ３メッセージである。一例として、上記メッセージは、ＲＲＣ接続要求メッセージである。
【０２０６】
具体的な一例として、通信制御部１８３は、ｅＮＢとのランダムアクセス手続きにおいて、上記装置情報を含むＲＲＣ接続要求メッセージを上記ｅＮＢに提供する。
【０２０７】
これにより、ＭＴＣ装置であるＵＥ１００−３については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００−３にとっての負荷の増大を抑制され得る。このように、第３の実施形態によれば、ＭＴＣ装置に起因するマクロｅＮＢ２００−３にとっての負荷の増大を抑制することが可能になる。
【０２０８】
−情報提供の対象となるｅＮＢ
なお、上記装置情報を含む上記メッセージを提供されるｅＮＢは、マクロｅＮＢ２００−３であってもよい。即ち、通信制御部１８３は、上記装置情報を含むメッセージをマクロｅＮＢ２００−３に送信し、上記装置情報を含まないメッセージをピコｅＮＢ３００に送信してもよい。これにより、ピコｅＮＢ３００との接続のためのランダムアクセスアクセス手続きにおいて、無駄な情報の送信が回避される。なお、この場合に、各ＣＣがマクロセル用ＣＣ及びピコセル用ＣＣのいずれであるかを示す情報が、マクロｅＮＢ２００−３又はピコｅＮＢ３００により、ＵＥ１００−３に通知されてもよい。
【０２０９】
＜５．３．マクロｅＮＢの構成＞
次に、図１５を参照して、第３の実施形態に係るマクロｅＮＢ２００−３の構成の一例を説明する。図１５は、第３の実施形態に係るマクロｅＮＢ３００−３の構成の一例を示すブロック図である。図１５を参照すると、マクロｅＮＢ２００−３は、アンテナ部２１０、無線通信部２２０、ネットワーク通信部２３０、記憶部２４０及び処理部２６０を備える。
【０２１０】
ここで、アンテナ部２１０、無線通信部２２０、ネットワーク通信部２３０、記憶部２４０については、第３の実施形態と上述した第２の実施形態との間に差異はない。よって、ここでは、処理部２６０のみを説明する。
【０２１１】
（処理部２６０）
処理部２６０は、マクロｅＮＢ２００−３の様々な機能を提供する。処理部２６０は、情報取得部２６１及び通信制御部２６３を含む。
【０２１２】
（情報取得部２６１）
情報取得部２６１は、通信制御部２６３による制御に必要な情報を取得する。例えば、情報取得部２６１は、無線通信部２２０を介して、他の装置からの情報を取得する。また、例えば、情報取得部２６１は、記憶部２４０に記憶されている情報を取得する。
【０２１３】
とりわけ第３の実施形態では、情報取得部２６１は、ＵＥ１００−３の接続のためのアクセス手続きにおいて、ＵＥ１００−３がＭＴＣ装置であることを示す上記装置情報を含むメッセージがＵＥ１００−３により提供されると、当該装置情報を取得する。
【０２１４】
具体的には、例えば、ＲＲＣアイドル状態であるＵＥ１００−３が、ランダムアクセス手続きにおいて、上記装置情報を含むＬ２／Ｌ３メッセージ（例えば、ＲＲＣ接続要求メッセージ）をマクロｅＮＢ２００−３へ送信する。すると、情報取得部２６１は、無線通信部２２０を介して、上記ＲＲＣ接続要求メッセージを取得し、当該ＲＲＣ接続要求メッセージから、上記装置情報を取得する。
【０２１５】
（通信制御部２６３）
通信制御部２６３は、マクロセル２０内での無線通信に関する制御を行う。
【０２１６】
−アクセス手続き
例えば、通信制御部２６３は、ＵＥの接続のためのアクセス手続きを行う。より具体的には、例えば、通信制御部２６３は、マクロセル用ＣＣのＰＲＡＣＨでランダムアクセスプリアンブルが受信されると、無線通信部２２０に、ランダムアクセスレスポンスを送信させる。そして、通信制御部２６３は、マクロセル用ＣＣにおいて、ＲＲＣ接続確立を行う。
【０２１７】
−接続の許可の判定
とりわけ第２の実施形態では、通信制御部２６３は、ＵＥ１００−３の接続のためのアクセス手続きにおいて、上記装置情報を含むメッセージがＵＥ１００−３により提供されると（即ち、上記装置情報が取得されると）、ＵＥ１００−３の上記接続を許可しないと判定する。
【０２１８】
これにより、ＭＴＣ装置であるＵＥ１００−３については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００−３にとっての負荷の増大を抑制され得る。このように、第３の実施形態によれば、ＭＴＣ装置に起因するマクロｅＮＢ２００−３にとっての負荷の増大を抑制することが可能になる。
【０２１９】
＜５．４．処理の流れ＞
次に、図１６〜図１８を参照して、第３の実施形態に係る通信制御処理の例を説明する。
【０２２０】
（ランダムアクセス手続き）
図１６は、第３の実施形態に係るランダムアクセス手続きの概略的な流れの一例を示すシーケンス図である。
【０２２１】
まず、ＵＥ１００−３は、マクロセル用ＣＣのＰＲＡＣＨでランダムアクセスプリアンブルを送信する（Ｓ６１０）。
【０２２２】
すると、マクロｅＮＢ２００−３は、ランダムアクセスレスポンスをＵＥ１００−３に送信する（Ｓ６３０）。
【０２２３】
その後、ＵＥ１００−３は、ＵＥ１００−３がＭＴＣ装置であることを示す装置情報を含むＬ２／Ｌ３メッセージをマクロｅＮＢ２００−３へ送信する（Ｓ６５０）。当該Ｌ２／Ｌ３メッセージは、例えば、ＲＲＣ接続要求メッセージである。
【０２２４】
そして、マクロｅＮＢ２００−３は、競合解決（Contention  Resolution）情報をＵＥ１００−３へ送信する（Ｓ６７０）。
【０２２５】
なお、第３の実施形態では、マクロｅＮＢ２００−３は、ステップＳ６５０の後に、ＵＥ１００−３の接続を許可するかを判定する。
【０２２６】
（第１の通信制御処理：メッセージの提供に係るＵＥ側の処理）
図１７は、第３の実施形態に係る第１の通信制御処理（メッセージの提供に係るＵＥ側の処理）の概略的な流れの一例を示すフローチャートである。当該第１の通信制御処理は、図１６を参照して説明したランダムアクセス手続きの処理のうちのステップＳ６５０に対応する。
【０２２７】
ステップＳ６５１で、情報取得部１８１は、ＵＥ１００−３がＭＴＣ装置であることを示す装置情報を取得する。
【０２２８】
ステップＳ６５３で、通信制御部１８３は、上記移動状況情報及び上記要求情報を含むＬ２／Ｌ３メッセージをマクロｅＮＢ２００−３に提供する。例えば、当該Ｌ２／Ｌ３メッセージは、ＲＲＣ接続要求メッセージである。そして、処理は終了する。
【０２２９】
（第２の通信制御処理：ＵＥの接続の許可に係るマクロｅＮＢ側の処理）
図１８は、第３の実施形態に係る第２の通信制御処理（ＵＥの接続の許可に係るマクロｅＮＢ側の処理）の概略的な流れの一例を示すフローチャートである。当該第３の通信制御処理は、図１６を参照して説明したランダムアクセス手続きの処理のうちのステップＳ６５０の後に実行される。
【０２３０】
ステップＳ６６１で、通信制御部２６３は、ＵＥ１００−３がＭＴＣ装置であることを示す装置情報が提供されたかを判定する。当該装置情報が提供されていれば、処理はステップＳ６６３へ進む。そうでなければ、処理はステップＳ６６５へ進む。
【０２３１】
ステップＳ６６３で、通信制御部２６３は、マクロｅＮＢ２００−３へのＵＥ１００−３の接続（即ち、ＵＥ１００−３によるマクロセル用ＣＣのＰＣＣとしての使用）を許可すると判定する。
【０２３２】
ステップＳ６６５で、通信制御部２６３は、マクロｅＮＢ２００−３へのＵＥ１００−３の接続（即ち、ＵＥ１００−３によるマクロセル用ＣＣのＰＣＣとしての使用）を許可する。そして、処理は終了する。
【０２３３】
ステップＳ６６７で、通信制御部２６３は、マクロｅＮＢ２００−３へのＵＥ１００−３の接続（即ち、ＵＥ１００−３によるマクロセル用ＣＣのＰＣＣとしての使用）を許可しないと判定する。そして、処理は終了する。
【０２３４】
＜＜６．第４の実施形態＞＞
続いて、図１９〜図２２を参照して、本開示の第４の実施形態を説明する。
【０２３５】
＜６．１．概略＞
（課題）
スモールセルのシナリオでは、特定のセル（若しくはｅＮＢ）又は特定の周波数帯域（例えば、ＣＣ）に、トラフィックが集中し、輻輳が生じてしまう可能性もある。例えば、マクロセル用ＣＣ（又はマクロｅＮＢ）にトラフィックが集中してしまう可能性がある。また、例えば、特定のピコセル用ＣＣ（又は特定のピコｅＮＢ）にトラフィックが集中してしまう可能性がある。
【０２３６】
このようなトラフィックの集中を抑制するために、ランダムアクセス手続きが完了した後に、接続許可制御（Connection  Admission  Control：ＣＡＣ）によりトラフィックを調整することが考えられる。しかし、このような手法は、コアネットワークに大きな負担を与え得る。
【０２３７】
なお、上記トラフィックの集中を抑制するために、アクセスバーリングにより、ＵＥによるマクロセルのＣＣでのランダムアクセス手続きを禁止し、又は減らすことが可能である。しかしながら、アクセスバーリングは、特定のＵＥのアクセスを禁止することはできないので、通信システムのオペレータがトラフィックの集中を柔軟に抑制することが難しい。
【０２３８】
そこで、第４の実施形態は、例えば、コアネットワークへの負担なしに輻輳をより柔軟に抑制することを可能にする。
【０２３９】
（解決手段）
第４の実施形態によれば、ｅＮＢ（マクロｅＮＢ２００及び／又はピコｅＮＢ３００）は、複数のＣＣの各々における輻輳状況についての輻輳情報に基づいて、上記複数のＣＣ間でのＵＥ１００による測定の優先度を制御する。一方、ＵＥ１００は、上記優先度に従って、上記複数のＣＣにおける測定の実行を制御する。
【０２４０】
これにより、例えば、ＵＥ１００に、より重い輻輳を伴うＣＣでの測定よりも、より軽い輻輳を伴うＣＣ（又は輻輳していないＣＣ）での測定をより優先的に行わせることが、可能になる。その結果、ＵＥ１００が、より軽い輻輳を伴うＣＣ（又は輻輳していないＣＣ）でのランダムアクセス手続きを行い、当該ＣＣを使用する可能性が高くなる。そのため、コアネットワークに負担をかけることもなく、輻輳を抑制することが可能になる。また、測定の優先度はＵＥ１００ごとにも変え得るので、より柔軟に輻輳を抑制することが可能になる。
【０２４１】
なお、ここでは、第４の実施形態の例として、マクロｅＮＢ２００が上記優先度を制御する例を説明する。しかしながら、第４の実施形態では、マクロｅＮＢ２００の代わりに、又はマクロｅＮＢ２００とともに、ピコｅＮＢ３００が上記優先度を同様に制御してもよい、ということに留意する。
【０２４２】
＜６．２．マクロｅＮＢの構成＞
次に、図１９を参照して、第４の実施形態に係るマクロｅＮＢ２００−４の構成の一例を説明する。図１９は、第４の実施形態に係るマクロｅＮＢ２００−４の構成の一例を示すブロック図である。図１９を参照すると、マクロｅＮＢ２００−４は、アンテナ部２１０、無線通信部２２０、ネットワーク通信部２３０、記憶部２４０及び処理部２７０を備える。
【０２４３】
ここで、アンテナ部２１０、無線通信部２２０、ネットワーク通信部２３０、記憶部２４０については、第４の実施形態と上述した第２の実施形態との間に差異はない。よって、ここでは、処理部２７０のみを説明する。
【０２４４】
（処理部２７０）
処理部２７０は、マクロｅＮＢ２００−４の様々な機能を提供する。処理部２７０は、情報取得部２７１及び通信制御部２７３を含む。
【０２４５】
（情報取得部２７１）
情報取得部２７１は、通信制御部２７３による制御に必要な情報を取得する。例えば、情報取得部２７１は、無線通信部２２０を介して、他の装置からの情報を取得する。また、例えば、情報取得部２７１は、記憶部２４０に記憶されている情報を取得する。
【０２４６】
とりわけ第４の実施形態では、情報取得部２７１は、複数の周波数帯域（ＣＣ）の各々における輻輳状況についての輻輳情報を取得する。例えば、当該輻輳情報は、複数のＣＣの各々の輻輳の程度を示す情報である。なお、当該輻輳情報は、複数のＣＣの各々が輻輳しているか否かを示す情報であってもよい。例えば、当該複数のＣＣは、１つ以上のマクロセル用ＣＣ及び／又は１つ以上のピコセル用ＣＣを含む。
【０２４７】
（通信制御部２７３）
通信制御部２７３は、マクロセル２０内での無線通信に関する制御を行う。
【０２４８】
とりわけ第４の実施形態では、通信制御部２７３は、上記輻輳情報に基づいて、上記複数の周波数帯域（ＣＣ）間でのＵＥ１００−４による測定の優先度を制御する。
【０２４９】
−優先度の決定
例えば、通信制御部２７３は、上記輻輳情報に基づいて上記優先度を決定する。より具体的には、例えば、通信制御部２７３は、より重い輻輳を伴うＣＣの優先度がより低く、より軽い輻輳を伴うＣＣの優先度がより高くなるように、上記複数のＣＣ間での測定の優先度を決定する。
【０２５０】
−優先度情報の通知
さらに、通信制御部２７３は、ＵＥ１００−４により使用される周波数帯域（ＣＣ）でのシグナリングにより、上記測定の優先度の情報（以下、「優先度情報」と呼ぶ）をＵＥ１００−４に通知する。例えば、ＵＥ１００−４により使用される上記ＣＣは、ＵＥ１００−４によりＰＣＣとして使用されるＣＣであり、上記シグナリングは、ＲＲＣシグナリングである。即ち、通信制御部２７３は、ＵＥ１００−４のＰＣＣでのＲＲＣシグナリングにより、上記優先度情報をＵＥ１００−４に通知する。また、例えば、当該優先度情報は、より優先度が高い順に並べられたＣＣのリスト（ホワイトリスト）である。
【０２５１】
このような優先度の制御により、例えば、ＵＥ１００−４に、より重い輻輳を伴うＣＣでの測定よりも、より軽い輻輳を伴うＣＣ（又は輻輳していないＣＣ）での測定をより優先的に行わせることが、可能になる。その結果、ＵＥ１００−４が、より軽い輻輳を伴うＣＣ（又は輻輳していないＣＣ）でのランダムアクセス手続きを行い、当該ＣＣを使用する可能性が高くなる。そのため、コアネットワークに負担をかけることもなく、輻輳を抑制することが可能になる。また、（例えばＲＲＣシグナリングによる優先度情報の通知により）測定の優先度はＵＥ１００ごとにも変え得るので、より柔軟に輻輳を抑制することが可能になる。
【０２５２】
なお、このような優先度の制御がない場合には、ＵＥ１００−４は、輻輳しているＣＣでの測定結果のみを報告する可能性もある。その結果、ＵＥ１００−４は、輻輳しているＣＣのみを使用し得る。
【０２５３】
＜６．３．ＵＥの構成＞
次に、図２０を参照して、第４の実施形態に係るＵＥ１００−４の構成の一例を説明する。図２０は、第４の実施形態に係るＵＥ１００−４の構成の一例を示すブロック図である。図２０を参照すると、ＵＥ１００−４は、アンテナ部１１０、無線通信部１２０、記憶部１３０、入力部１４０、表示部１５０及び処理部１９０を備える。
【０２５４】
ここで、アンテナ部１１０、無線通信部１２０、記憶部１３０、入力部１４０及び表示部１５０、並びに、処理部に含まれる表示制御部１６５については、第４の実施形態と上述した第１の実施形態との間に差異はない。よって、ここでは、処理部１９０のうちの情報取得部１９１及び通信制御部１９３のみを説明する。
【０２５５】
（情報取得部１９１）
情報取得部１９１は、通信制御部１９３による制御に必要な情報を取得する。例えば、情報取得部１９１は、無線通信部１２０を介して、他の装置からの情報を取得する。また、例えば、情報取得部１９１は、記憶部１３０に記憶されている情報を取得する。
【０２５６】
とりわけ第４の実施形態では、情報取得部１９１は、複数の周波数帯域（ＣＣ）間でのＵＥ１００−４による測定の優先度であって、上記複数の周波数帯域（ＣＣ）の各々における輻輳状況に基づいて決定される上記優先度の情報を取得する。
【０２５７】
上述したように、例えば、マクロｅＮＢ２００−４は、ＵＥ１００−４のＰＣＣでのＲＲＣシグナリングにより、上記優先度情報をＵＥ１００−４に通知する。すると、情報取得部１９１は、無線通信部１２０を介して、上記優先度情報を取得する。なお、上記優先度情報は、より優先度が高い順に並べられたＣＣのリスト（ホワイトリスト）である。
【０２５８】
また、例えば、情報取得部１９１は、取得された上記優先度情報を記憶部１３０に記憶させる。そして、情報取得部１９１は、必要に応じて上記優先度情報を取得する。
【０２５９】
（通信制御部１９３）
通信制御部１９３は、ＵＥ１００−４による無線通信に関する制御を行う。
【０２６０】
とりわけ第４の実施形態では、通信制御部１９３は、複数の周波数帯域（ＣＣ）間でのＵＥ１００−４による測定の上記優先度に従って、上記複数の周波数帯域（ＣＣ）における測定の実行を制御する。
【０２６１】
例えば、通信制御部１９３は、複数のＣＣのうちのより優先度の高いＣＣから順に測定を行う。一例として、通信制御部１９３は、ＲＳＲＰ及びＲＳＲＱを測定する。そして、通信制御部１９３は、所定のイベントの条件を測定結果が満たす場合に、当該測定結果をマクロｅＮＢ２００−４に報告する。
【０２６２】
このような測定の制御により、例えば、ＵＥ１００−４は、より重い輻輳を伴うＣＣでの測定よりも、より軽い輻輳を伴うＣＣ（又は輻輳していないＣＣ）での測定をより優先的に行うことが可能になる。その結果、ＵＥ１００−４が、より軽い輻輳を伴うＣＣ（又は輻輳していないＣＣ）でのランダムアクセス手続きを行い、当該ＣＣを使用する可能性が高くなる。そのため、コアネットワークに負担をかけることもなく、輻輳を抑制することが可能になる。また、（例えばＲＲＣシグナリングによる優先度情報の通知により）測定の優先度はＵＥ１００ごとにも変え得るので、より柔軟に輻輳を抑制することが可能になる。
【０２６３】
＜６．４．処理の流れ＞
次に、図２１及び図２２を参照して、第４の実施形態に係る通信制御処理の例を説明する。
【０２６４】
（第１の通信制御処理：測定の優先度の制御に係るマクロｅＮＢ側の処理）
図２１は、第４の実施形態に係る第１の通信制御処理（測定の優先度の制御に係るマクロｅＮＢ側の処理）の概略的な流れの一例を示すフローチャートである。
【０２６５】
ステップＳ７０１で、情報取得部２７１は、複数のＣＣの各々における輻輳状況についての輻輳情報を取得する。
【０２６６】
ステップＳ７０３で、通信制御部２７３は、上記輻輳情報に基づいて、上記複数のＣＣ間でのＵＥ１００−４による測定の優先度を決定する。
【０２６７】
ステップＳ７０５で、通信制御部２７３は、ＵＥ１００−４のＰＣＣでのＲＲＣシグナリングにより、上記測定の優先度の情報（即ち、優先度情報）をＵＥ１００−４に通知する。そして、処理は終了する。
【０２６８】
（第２の通信制御処理：測定の制御に係るＵＥ側の処理）
図２２は、第４の実施形態に係る第２の通信制御処理（測定の制御に係るＵＥ側の処理）の概略的な流れの一例を示すフローチャートである。
【０２６９】
ステップＳ７２１で、情報取得部１９１は、無線通信部１２０を介して、複数のＣＣ間でのＵＥ１００−４による測定の優先度の情報（即ち、優先度情報）を取得する。
【０２７０】
ステップＳ７２３で、通信制御部１９３は、上記優先度に従って測定を行う。
【０２７１】
ステップＳ７２５で、通信制御部１９３は、測定結果が所定のイベントの条件を満たすかを判定する。当該所定のイベントの条件が満たされる場合には、処理はステップＳ７２７へ進む。そうでなければ、処理は終了する。
【０２７２】
ステップＳ７２７で、通信制御部１９３は、上記測定結果をマクロｅＮＢ２００−４に報告する。そして、処理はステップＳ７２１へ戻る。
【０２７３】
＜＜７．応用例＞＞
本開示に係る技術は、様々な製品へ応用可能である。例えば、ＵＥ１００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、ＵＥ１００は、Ｍ２Ｍ（Machine  To  Machine）通信を行う端末（ＭＴＣ（Machine  Type  Communication）端末ともいう）として実現されてもよい。さらに、ＵＥ１００の少なくとも一部の構成要素は、これら端末に搭載されるモジュール（例えば、１つのダイで構成される集積回路モジュール）において実現されてもよい。
【０２７４】
また、例えば、ｅＮＢ（マクロｅＮＢ２００又はピコｅＮＢ３００）は、無線通信を制御する本体（基地局装置ともいう）を含んでもよい。また、ｅＮＢ（マクロｅＮＢ２００又はピコｅＮＢ３００）は、本体とは別の場所に配置される１つ以上のＲＲＨ（Remote  Radio  Head）をさらに含んでもよい。また、上述した様々な種類の端末が一時的に又は半永続的に基地局機能を実行することにより、ｅＮＢ（マクロｅＮＢ２００又はピコｅＮＢ３００）として動作してもよい。さらに、ｅＮＢ（マクロｅＮＢ２００又はピコｅＮＢ３００）の少なくとも一部の構成要素は、基地局装置又は基地局装置のためのモジュールにおいて実現されてもよい。
【０２７５】
＜７．１．ｅＮＢに関する応用例＞
（第１の応用例）
図２３は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２７６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２３に示したように複数のアンテナ８１０を有し、複数のアンテナ８１０は、例えばｅＮＢ８００が使用する複数の周波数帯域にそれぞれ対応してもよい。なお、図２３にはｅＮＢ８００が複数のアンテナ８１０を有する例を示したが、ｅＮＢ８００は単一のアンテナ８１０を有してもよい。
【０２７７】
基地局装置８２０は、コントローラ８２１、メモリ８２２、ネットワークインタフェース８２３及び無線通信インタフェース８２５を備える。
【０２７８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２７９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２８０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２８１】
無線通信インタフェース８２５は、図２３に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２３に示したように複数のＲＦ回路８２７を含み、複数のＲＦ回路８２７は、例えば複数のアンテナ素子にそれぞれ対応してもよい。なお、図２３には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２８２】
図２３に示したｅＮＢ８００において、図５を参照して説明した情報取得部３５１及び通信制御部３５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて情報取得部３５１及び通信制御部３５３が実装されてもよい。この場合に、上記モジュールは、プロセッサを情報取得部３５１及び通信制御部３５３として機能させるためのプログラム（換言すると、プロセッサに情報取得部３５１及び通信制御部３５３の動作を実行させるためのプログラム）を記憶し、当該プログラムを実行してもよい。別の例として、プロセッサを情報取得部３５１及び通信制御部３５３として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、情報取得部３５１及び通信制御部３５３を備える装置としてｅＮＢ８００、基地局装置８２０又は上記モジュールが提供されてもよく、プロセッサを情報取得部３５１及び通信制御部３５３として機能させるためのプログラムが提供されてもよい。また、上記プログラムを記録した読み取り可能な記録媒体が提供されてもよい。これらの点については、図１０を参照して説明した情報取得部２５１及び通信制御部２５３、図１５を参照して説明した情報取得部２６１及び通信制御部２６３、及び、図１９を参照して説明した情報取得部２７１及び通信制御部２７３も、情報取得部３５１及び通信制御部３５３と同様である。
【０２８３】
また、図２３に示したｅＮＢ８００において、図５を参照して説明した無線通信部３２０は、無線通信インタフェース８２５（例えば、ＲＦ回路８２７）において実装されてもよい。また、アンテナ部３１０は、アンテナ８１０において実装されてもよい。また、ネットワーク通信部３３０は、コントローラ８２１及び／又はネットワークインタフェース８２３において実装されてもよい。これらの点については、図１０、図１５及び図１９を参照して説明したアンテナ部２１０、無線通信部２２０及びネットワーク通信部２３０も、アンテナ部３１０、無線通信部３２０及びネットワーク通信部３３０と同様である。
【０２８４】
（第２の応用例）
図２４は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２８５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２４に示したように複数のアンテナ８４０を有し、複数のアンテナ８４０は、例えばｅＮＢ８３０が使用する複数の周波数帯域にそれぞれ対応してもよい。なお、図２４にはｅＮＢ８３０が複数のアンテナ８４０を有する例を示したが、ｅＮＢ８３０は単一のアンテナ８４０を有してもよい。
【０２８６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２３を参照して説明したコントローラ８２１、メモリ８２２及びネットワークインタフェース８２３と同様のものである。
【０２８７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２３を参照して説明したＢＢプロセッサ８２６と同様のものである。無線通信インタフェース８５５は、図２４に示したように複数のＢＢプロセッサ８５６を含み、複数のＢＢプロセッサ８５６は、例えばｅＮＢ８３０が使用する複数の周波数帯域にそれぞれ対応してもよい。なお、図２４には無線通信インタフェース８５５が複数のＢＢプロセッサ８５６を含む例を示したが、無線通信インタフェース８５５は単一のＢＢプロセッサ８５６を含んでもよい。
【０２８８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２８９】
また、ＲＲＨ８６０は、接続インタフェース８６１及び無線通信インタフェース８６３を備える。
【０２９０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２９１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２４に示したように複数のＲＦ回路８６４を含み、複数のＲＦ回路８６４は、例えば複数のアンテナ素子にそれぞれ対応してもよい。なお、図２４には無線通信インタフェース８６３が複数のＲＦ回路８６４を含む例を示したが、無線通信インタフェース８６３は単一のＲＦ回路８６４を含んでもよい。
【０２９２】
図２４に示したｅＮＢ８３０において、図５を参照して説明した情報取得部３５１及び通信制御部３５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて情報取得部３５１及び通信制御部３５３が実装されてもよい。この場合に、上記モジュールは、プロセッサを情報取得部３５１及び通信制御部３５３として機能させるためのプログラム（換言すると、プロセッサに情報取得部３５１及び通信制御部３５３の動作を実行させるためのプログラム）を記憶し、当該プログラムを実行してもよい。別の例として、プロセッサを情報取得部３５１及び通信制御部３５３として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、情報取得部３５１及び通信制御部３５３を備える装置としてｅＮＢ８３０、基地局装置８５０又は上記モジュールが提供されてもよく、プロセッサを情報取得部３５１及び通信制御部３５３として機能させるためのプログラムが提供されてもよい。また、上記プログラムを記録した読み取り可能な記録媒体が提供されてもよい。これらの点については、図１０を参照して説明した情報取得部２５１及び通信制御部２５３、図１５を参照して説明した情報取得部２６１及び通信制御部２６３、及び、図１９を参照して説明した情報取得部２７１及び通信制御部２７３も、情報取得部３５１及び通信制御部３５３と同様である。
【０２９３】
また、図２４に示したｅＮＢ８３０において、例えば、図５を参照して説明した無線通信部３２０は、無線通信インタフェース８６３（例えば、ＲＦ回路８６４）において実装されてもよい。また、アンテナ部３１０は、アンテナ８４０において実装されてもよい。また、ネットワーク通信部３３０は、コントローラ８５１及び／又はネットワークインタフェース８５３において実装されてもよい。これらの点については、図１０、図１５及び図１９を参照して説明したアンテナ部２１０、無線通信部２２０及びネットワーク通信部２３０も、アンテナ部３１０、無線通信部３２０及びネットワーク通信部３３０と同様である。
【０２９４】
＜７．２．ＵＥに関する応用例＞
（第１の応用例）
図２５は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２９５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２９６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２９７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２５に示したように複数のＢＢプロセッサ９１３及び複数のＲＦ回路９１４を含んでもよい。なお、図２５には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２９８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２９９】
アンテナスイッチ９１５の各々は、無線通信インタフェース９１２に含まれる複数の回路（例えば、異なる無線通信方式のための回路）の間でアンテナ９１６の接続先を切り替える。
【０３００】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２５に示したように複数のアンテナ９１６を有してもよい。なお、図２５にはスマートフォン９００が複数のアンテナ９１６を有する例を示したが、スマートフォン９００は単一のアンテナ９１６を有してもよい。
【０３０１】
さらに、スマートフォン９００は、無線通信方式ごとにアンテナ９１６を備えてもよい。その場合に、アンテナスイッチ９１５は、スマートフォン９００の構成から省略されてもよい。
【０３０２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２５に示したスマートフォン９００の各ブロックへ電力を供給する。補助コントローラ９１９は、例えば、スリープモードにおいて、スマートフォン９００の必要最低限の機能を動作させる。
【０３０３】
図２５に示したスマートフォン９００において、図４を参照して説明した情報取得部１６１及び通信制御部１６３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部１６１及び通信制御部１６３が実装されてもよい。この場合に、上記モジュールは、プロセッサを情報取得部１６１及び通信制御部１６３として機能させるためのプログラム（換言すると、プロセッサに情報取得部１６１及び通信制御部１６３の動作を実行させるためのプログラム）を記憶し、当該プログラムを実行してもよい。別の例として、プロセッサを情報取得部１６１及び通信制御部１６３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部１６１及び通信制御部１６３を備える装置としてスマートフォン９００又は上記モジュールが提供されてもよく、プロセッサを情報取得部１６１及び通信制御部１６３として機能させるためのプログラムが提供されてもよい。また、上記プログラムを記録した読み取り可能な記録媒体が提供されてもよい。これらの点については、図９を参照して説明した情報取得部１７１及び通信制御部１７３、図１４を参照して説明した情報取得部１８１及び通信制御部１８３、及び、図２０を参照して説明した情報取得部１９１及び通信制御部１９３も、情報取得部１６１及び通信制御部１６３と同様である。
【０３０４】
また、図２５に示したスマートフォン９００において、例えば、図４を参照して説明した無線通信部１２０は、無線通信インタフェース９１２（例えば、ＲＦ回路９１４）において実装されてもよい。また、アンテナ部１１０は、アンテナ９１６において実装されてもよい。
【０３０５】
（第２の応用例）
図２６は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３０６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３０７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３０８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３０９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２６に示したように複数のＢＢプロセッサ９３４及び複数のＲＦ回路９３５を含んでもよい。なお、図２６には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３１０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３１１】
アンテナスイッチ９３６の各々は、無線通信インタフェース９３３に含まれる複数の回路（例えば、異なる無線通信方式のための回路）の間でアンテナ９３７の接続先を切り替える。
【０３１２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２６に示したように複数のアンテナ９３７を有してもよい。なお、図２６にはカーナビゲーション装置９２０が複数のアンテナ９３７を有する例を示したが、カーナビゲーション装置９２０は単一のアンテナ９３７を有してもよい。
【０３１３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３１４】
バッテリー９３８は、図中に破線で部分的に示した給電ラインを介して、図２６に示したカーナビゲーション装置９２０の各ブロックへ電力を供給する。また、バッテリー９３８は、車両側から給電される電力を蓄積する。
【０３１５】
図２６に示したカーナビゲーション装置９２０において、図４を参照して説明した情報取得部１６１及び通信制御部１６３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部１６１及び通信制御部１６３が実装されてもよい。この場合に、上記モジュールは、プロセッサを情報取得部１６１及び通信制御部１６３として機能させるためのプログラム（換言すると、プロセッサに情報取得部１６１及び通信制御部１６３の動作を実行させるためのプログラム）を記憶し、当該プログラムを実行してもよい。別の例として、プロセッサを情報取得部１６１及び通信制御部１６３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部１６１及び通信制御部１６３を備える装置としてカーナビゲーション装置９２０又は上記モジュールが提供されてもよく、プロセッサを情報取得部１６１及び通信制御部１６３として機能させるためのプログラムが提供されてもよい。また、上記プログラムを記録した読み取り可能な記録媒体が提供されてもよい。これらの点については、図９を参照して説明した情報取得部１７１及び通信制御部１７３、図１４を参照して説明した情報取得部１８１及び通信制御部１８３、及び、図２０を参照して説明した情報取得部１９１及び通信制御部１９３も、情報取得部１６１及び通信制御部１６３と同様である。
【０３１６】
また、図２６に示したカーナビゲーション装置９２０において、例えば、図４を参照して説明した無線通信部１２０は、無線通信インタフェース９３３（例えば、ＲＦ回路９３５）において実装されてもよい。また、アンテナ部１１０は、アンテナ９３７において実装されてもよい。
【０３１７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部１６１及び通信制御部１６３（又は、情報取得部１７１及び通信制御部１７３、情報取得部１８１及び通信制御部１８３、若しくは、情報取得部１９１及び通信制御部１９３）を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３１８】
＜＜８．まとめ＞＞
ここまで、図３〜図２４を参照して、本開示の実施形態に係るＵＥ１００、マクロｅＮＢ２００及びピコｅＮＢ３００及び、並びに各処理を説明した。
【０３１９】
−第１の実施形態
第１の実施形態によれば、ＵＥ１００−１は、いずれのｅＮＢとも接続されていない場合には、ピコｅＮＢ３００−１との接続のためのアクセス手続きを行う。
【０３２０】
これにより、ＵＥ１００−１は、まずピコｅＮＢ３００−１に接続されるようになる。そのため、マクロｅＮＢ２００に接続されるＵＥ１００−１をネットワーク側で決めることが可能になる。よって、ＵＥ１００−１によるマクロｅＮＢ２００への接続を制限することが可能になる。そして、当該制限によれば、マクロセル２０のＣＣにおける接続確立のためのシグナリングの増大が抑えられ、結果として、マクロｅＮＢ２００にとっての負荷の増大を抑制され得る。このように、第１の実施形態によれば、マクロｅＮＢ２００にとっての負荷の増大を抑制することが可能になる。
【０３２１】
−第２の実施形態
第２の実施形態によれば、ＵＥ１００−２は、いずれのｅＮＢとも接続されていない場合には、ｅＮＢ（とりわけマクロｅＮＢ２００−２）とのアクセス手続きにおいて、ＵＥ１００の状況に応じた情報を含むメッセージを上記ｅＮＢに提供する。一方、マクロｅＮＢ２００−２は、ＵＥ１００−２に状況に応じた上記情報に基づいて、ＵＥ１００−２の接続を許可するかを判定する。
【０３２２】
これにより、アクセス手続きにおいて、ＵＥ１００−２の状況を考慮して、マクロｅＮＢ２００−２に接続されるＵＥ１００−２をネットワーク側で決めることが可能になる。そのため、マクロｅＮＢ２００−２に接続されないＵＥ１００−２については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００−２にとっての負荷の増大を抑制され得る。このように、第２の実施形態によれば、マクロｅＮＢ２００−２にとっての負荷の増大を抑制することが可能になる。
【０３２３】
また、例えば、マクロｅＮＢ２００−２への接続が有効であるＵＥ１００−２に、マクロｅＮＢ２００−２に接続させることが可能になる。具体的には、例えば、マクロセル用ＣＣのＰＣＣとしての使用が有効であるＵＥ１００−２に、マクロセル用ＣＣをＰＣＣとして使用させることが可能になる。
【０３２４】
−第３の実施形態
第３の実施形態によれば、ＵＥ１００−３は、ｅＮＢ（とりわけマクロｅＮＢ２００−３）との接続のためのアクセス手続きにおいて、ＵＥ１００−３がマシンタイプ通信を行う装置（ＭＴＣ装置）であることを示す装置情報を含むメッセージを上記ｅＮＢに提供する。一方、マクロｅＮＢ２００−３は、ＵＥ１００−３の接続のためのアクセス手続きにおいて上記装置情報が提供されると、ＵＥ１００−３の上記接続を許可しないと判定する。
【０３２５】
これにより、ＭＴＣ装置であるＵＥ１００−３については、アクセス手続き（又は接続確立の処理）を中止することも可能になる。そして、当該中止によれば、マクロセル２０のＣＣにおける接続確立のためのシグナリングの増大が抑えられ、結果として、マクロｅＮＢ２００−３にとっての負荷の増大を抑制され得る。このように、第３の実施形態によれば、ＭＴＣ装置に起因するマクロｅＮＢ２００−３にとっての負荷の増大を抑制することが可能になる。
【０３２６】
−第４の実施形態
第４の実施形態によれば、ｅＮＢ（マクロｅＮＢ２００−４及び／又はピコｅＮＢ３００−４）は、複数のＣＣの各々における輻輳状況についての輻輳情報に基づいて、上記複数のＣＣ間でのＵＥ１００−４による測定の優先度を制御する。一方、ＵＥ１００−４は、上記優先度に従って、上記複数のＣＣにおける測定の実行を制御する。
【０３２７】
これにより、例えば、ＵＥ１００−４に、より重い輻輳を伴うＣＣでの測定よりも、より軽い輻輳を伴うＣＣ（又は輻輳していないＣＣ）での測定をより優先的に行わせることが、可能になる。その結果、ＵＥ１００−４が、より軽い輻輳を伴うＣＣ（又は輻輳していないＣＣ）でのランダムアクセス手続きを行い、当該ＣＣを使用する可能性が高くなる。そのため、コアネットワークに負担をかけることもなく、輻輳を抑制することが可能になる。また、測定の優先度はＵＥ１００−４ごとにも変え得るので、より柔軟に輻輳を抑制することが可能になる。
【０３２８】
以上、添付図面を参照しながら本開示の好適な実施形態を説明したが、本開示は係る例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０３２９】
例えば、ｅＮＢを１つの通信制御装置として説明したが、本開示に係るｅＮＢは係る例に限定されない。ｅＮＢは複数の装置を含んでもよい。一例として、ｅＮＢは、アンテナ部を含むアンテナ装置と、無線通信部を含む無線通信装置と、記憶部及び処理部を備える通信制御装置とを含んでもよい。
【０３３０】
また、スモールセルのｅＮＢ（ピコｅＮＢ）が、独立した完全な基地局である例を説明したが、本開示に係るスモールセルのｅＮＢは係る例に限定されない。例えば、スモールセルのｅＮＢは、リモートレディオヘッド（ＲＲＨ：Remote  Radio  Head）があってもよい。ＲＲＨは、例えば、主としてアナログ信号処理部分及びアンテナ部分を備え、遠隔地の装置（例えば、マクロｅＮＢ）から光ファイバで張り出されてもよい。この場合に、上記遠隔地の装置（例えば、マクロｅＮＢ）に、スモールセル（ピコセル）のための通信制御機能（情報取得部及び通信制御部）が実装されてもよい。
【０３３１】
また、スモールセルの一例としてピコセルを説明したが、本開示は係る例に限定されない。例えば、スモールセルは、マクロセルと一部又は全体で重なる別の名称のセルであってもよい。例えば、スモールセルは、ピコセルの代わりに、マイクロセル又はフェムトセルであってもよい。
【０３３２】
また、上記実施形態では、通信システムがＬＴＥ又はＬＴＥ−Ａに準拠する例を説明したが、本開示は係る例に限定されない。例えば、通信システムは、別の通信規格に準拠したシステムであってもよい。この場合に、ＵＥは別の端末装置であり、ｅＮＢは別の基地局であってもよい。また、コンポーネントキャリア（ＣＣ）は別の周波数帯域であってもよい。
【０３３３】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０３３４】
また、本明細書の装置（ＵＥ、マクロｅＮＢ、又はピコｅＮＢ）に備えられるプロセッサ（例えば、ＣＰＵ、ＤＳＰなど）を上記装置の構成要素（例えば、情報取得部及び通信制御部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び通信制御部など）の動作を含む方法も、本開示に係る技術に含まれる。
【０３３５】
なお、以下のような構成も本開示の技術的範囲に属する。
（１）
端末装置であって、
マクロセルと一部又は全体で重なるスモールセル及び前記マクロセルについての情報を取得する取得部と、
前記端末装置がいずれの基地局とも接続されていない場合には、前記スモールセルの基地局との接続のためのアクセス手続きを行う通信制御部と、
を備える端末装置。
（２）
前記通信制御部は、前記端末装置が前記スモールセルの前記基地局と接続された後に、前記端末装置の状況に応じた情報を前記スモールセルの前記基地局に提供する、前記（１）に記載の端末装置。
（３）
前記端末装置は、マシンタイプ通信を行う装置である、前記（１）に記載の端末装置。
（４）
端末装置であって、
前記端末装置の状況に応じた情報を取得する取得部と、
前記端末装置がいずれの基地局とも接続されていない場合に、基地局との接続のためのアクセス手続きにおいて、前記情報を含むメッセージを前記基地局に提供する通信制御部と、
を備える端末装置。
（５）
前記メッセージに含まれる前記情報は、前記基地局との接続を許可するかを判定するために使用される情報である、前記（４）に記載の端末装置。
（６）
前記メッセージは、前記アクセス手続きにおける、通信プロトコルのレイヤ２又はレイヤ３のメッセージである、前記（４）又は（５）に記載の端末装置。
（７）
前記基地局は、スモールセルの一部又は全体と重なるマクロセルの基地局である、前記（４）〜（６）のいずれか１項に記載の端末装置。
（８）
前記端末装置の状況に応じた前記情報は、前記端末装置の移動状況の情報を含む、前記（２）〜（７）のいずれか１項に記載の端末装置。
（９）
前記端末装置の状況に応じた前記情報は、無線通信に関する前記端末装置の要求の情報を含む、前記（２）〜（８）のいずれか１項に記載の端末装置。
（１０）
前記要求の前記情報は、前記端末装置が無線通信のために使用する周波数帯域の数の情報、又は、前記端末装置の無線通信におけるスループットの情報を含む、前記（９）に記載の端末装置。
（１１）
前記端末装置は、マシンタイプ通信を行う装置であり、
前記通信制御部は、基地局との接続のためのアクセス手続きにおいて、前記端末装置がマシンタイプ通信を行う装置であることを示す装置情報を含むメッセージを前記基地局に提供する、
前記（１）〜（１０）のいずれか１項に記載の端末装置。
（１２）
前記装置情報を含む前記メッセージを提供される前記基地局は、スモールセルの一部又は全体と重なるマクロセルの基地局である、前記（１１）に記載の端末装置。
（１３）
前記装置情報を含む前記メッセージを提供される前記基地局が、スモールセルの一部又は全体と重なるマクロセルの基地局である場合に、前記基地局との接続が許可されない、前記（１１）又は（１２）に記載の端末装置。
（１４）
端末装置の接続のためのアクセス手続きにおいて、前記端末装置の状況に応じた情報を含むメッセージが前記端末装置により提供されると、前記情報を取得する取得部と、
前記情報に基づいて、前記端末装置の接続を許可するかを判定する通信制御部と、
を備える通信制御装置。
（１５）
前記通信制御部は、前記端末装置の接続のためのアクセス手続きにおいて、前記端末装置がマシンタイプ通信を行う装置であることを示す装置情報を含むメッセージが前記端末装置により提供されると、前記端末装置の前記接続を許可しないと判定する、前記（１４）に記載の通信制御装置。
（１６）
端末装置の接続のためのアクセス手続きにおいて、前記端末装置の状況に応じた情報を含むメッセージが前記端末装置により提供されると、前記情報を取得することと、
前記情報に基づいて、前記端末装置の接続を許可するかを判定することと、
を含む通信制御方法。
（１７）
複数の周波数帯域の各々における輻輳状況についての輻輳情報を取得する取得部と、
前記輻輳情報に基づいて、前記複数の周波数帯域間での端末装置による測定の優先度を制御する通信制御部と、
を備える通信制御装置。
（１８）
前記通信制御部は、前記輻輳情報に基づいて前記優先度を決定し、前記端末装置により使用される周波数帯域でのシグナリングにより当該優先度の情報を前記端末装置に通知する、前記（１７）に記載の通信制御装置。
（１９）
複数の周波数帯域の各々における輻輳状況についての輻輳情報を取得することと、
前記輻輳情報に基づいて、前記複数の周波数帯域間での端末装置による測定の優先度を制御することと、
を備える通信制御方法。
（２０）
複数の周波数帯域間での端末装置による測定の優先度であって、前記複数の周波数帯域の各々における輻輳状況に基づいて決定される前記優先度の情報を取得する取得部と、
前記優先度に従って、前記複数の周波数帯域における測定の実行を制御する通信制御部と、
を備える端末装置。
（２１）
端末装置を制御する情報処理装置であって、
所定のプログラムを記憶するメモリと、
前記所定のプログラムを実行可能な１つ以上のプロセッサと、
を備え、
前記所定のプログラムは、
マクロセルと一部又は全体で重なるスモールセル及び前記マクロセルについての情報を取得することと、
前記端末装置がいずれの基地局とも接続されていない場合には、前記スモールセルの基地局との接続のためのアクセス手続きを行うことと、
を実行させるためのプログラムである、
情報処理装置。
（２２）
端末装置を制御する情報処理装置であって、
所定のプログラムを記憶するメモリと、
前記所定のプログラムを実行可能な１つ以上のプロセッサと、
を備え、
前記所定のプログラムは、
前記端末装置の状況に応じた情報を取得することと、
前記端末装置がいずれの基地局とも接続されていない場合に、基地局との接続のためのアクセス手続きにおいて、前記情報を含むメッセージを前記基地局に提供すること、
を実行させるためのプログラムである、
情報処理装置。
（２３）
端末装置を制御する情報処理装置であって、
所定のプログラムを記憶するメモリと、
前記所定のプログラムを実行可能な１つ以上のプロセッサと、
を備え、
前記所定のプログラムは、
複数の周波数帯域間での端末装置による測定の優先度であって、前記複数の周波数帯域の各々における輻輳状況に基づいて決定される前記優先度の情報を取得することと、
前記優先度に従って、前記複数の周波数帯域における測定の実行を制御することと、
を実行させるためのプログラムである、
情報処理装置。
【符号の説明】
【０３３６】
１                              通信システム
２０                            マクロセル
３０                            ピコセル
１００                          ＵＥ（User  Equipment）
１６１、１７１、１８１、１９１  情報取得部
１６３、１７３、１８３、１９３  通信制御部
２００                          マクロｅＮＢ（evolved  Node  B）
２５１、２６１、２７１          情報取得部
２５３、２６３、２７３          通信制御部
３００                          ピコｅＮＢ（evolved  Node  B）
３５１                          情報取得部
３５３                          通信制御部
【図１】
2014203630.tif 000003
【図２】
2014203630.tif 000004
【図３】
2014203630.tif 000005
【図４】
2014203630.tif 000006
【図５】
2014203630.tif 000007
【図６】
2014203630.tif 000008
【図７】
2014203630.tif 000009
【図８】
2014203630.tif 000010
【図９】
2014203630.tif 000011
【図１０】
2014203630.tif 000012
【図１１】
2014203630.tif 000013
【図１２】
2014203630.tif 000014
【図１３】
2014203630.tif 000015
【図１４】
2014203630.tif 000016
【図１５】
2014203630.tif 000017
【図１６】
2014203630.tif 000018
【図１７】
2014203630.tif 000019
【図１８】
2014203630.tif 000020
【図１９】
2014203630.tif 000021
【図２０】
2014203630.tif 000022
【図２１】
2014203630.tif 000023
【図２２】
2014203630.tif 000024
【図２３】
2014203630.tif 000025
【図２４】
2014203630.tif 000026
【図２５】
2014203630.tif 000027
【図２６】
2014203630.tif 000028
【国際調査報告】
2014203630.tif 000029
2014203630.tif 000030
2014203630.tif 000031
2014203630.tif 000032
2014203630.tif 000033
2014203630.tif 000034
2014203630.tif 000035
2014203630.tif 000036